(57)【要約】セルラー電話システムがマルチキャスト及び二点間サービスの両方を提供することを可能にするセルラー電話システムにおけるマルチキャスト・サービス通知のための方法を及びシステムが開示されている。いくつかの実施例はアクセス網がアクセス網と加入者局との間でマルチキャスト・サービスを伝達するチャネル割当を可能にするために、マルチキャスト群に属するアクセス網と加入者局との間の信号相互作用を述べている。【特許請求の範囲】
【請求項１】
通信システムにおけるマルチキャスト・サービス・チャネル割当のための方法であって、
チャネル割当情報を少なくとも１つの定期的に繰返されるメッセージに含めること、及び
第一のチャネル上で定期的に繰返されるメッセージを伝送することを含む方法。
【請求項２】
前記チャネル割当情報を少なくとも１つの定期的に繰返されるメッセージに含めることは、
チャネル割当情報を少なくとも１つの定期的に繰返されるメッセージに含めることを含み、前記メッセージはさらにマルチキャスト・サービス通知を含む、請求項１記載の方法。
【請求項３】
前記チャネル割当情報を少なくとも１つの定期的に繰返されるメッセージに含めることは、
共有チャネル割当情報を少なくとも１つの定期的に繰返されるメッセージに含めることを含む、請求項１記載の方法。
【請求項４】
通信システムにおけるマルチキャスト・サービス・チャネル割当のための方法であって、
チャネル上で定期的に繰返されるメッセージを監視すること、及び
マルチキャスト・サービス通知及びチャネル割当情報が定期的に繰返されるメッセージに含まれていたかどうかを判定するため定期的に繰返されるメッセージを復号することを含む方法。
【請求項５】
通信システムにおけるマルチキャスト・サービスについてチャネル割当のための方法であって、
チャネル割当情報及びマルチキャスト・サービス通知をメッセージに含めること、及び
メッセージを第一のチャネル上で少なくとも一度伝送することを含む方法。
【請求項６】
前記チャネル割当情報をメッセージに含めることは、
共有チャネル割当情報をメッセージに含めることを含む、請求項５記載の方法。
【請求項７】
通信システムにおけるマルチキャスト・サービスについてチャネル割当のための方法であって、
チャネルのスロットを監視すること、及び
チャネル割当情報及びマルチキャスト・サービス通知が定期的に繰返されるメッセージに含まれていたかどうかを判定するためスロットにおいて搬送されたメッセージを復号することを含む方法。
【請求項８】
通信システムにおけるマルチキャスト・サービス・チャネル割当のための方法であって、
マルチキャスト・サービス通知を同報すること、
前記同報されたマルチキャスト・サービス通知に対する少なくとも１つの応答を受信すること、及び
前記受信された少なくとも１つの応答に従ってマルチキャスト・サービス・チャネルを割当てることを含む方法。
【請求項９】
前記受信された少なくとも１つの応答に従って前記マルチキャスト・サービス・チャネルを割当てることは、
応答の数が所定の閾値を超えていれば共有マルチキャスト・サービス・チャネルを割当てることを含む、請求項８記載の方法。
【請求項１０】
前記共有マルチキャスト・サービス・チャネルを割当てることは、 
共有マルチキャスト・サービス・チャネル割当情報をメッセージに含めること、及び
メッセージを少なくとも一度少なくとも１つのチャネル上で伝送することを含む、請求項９記載の方法。
【請求項１１】
前記メッセージを少なくとも一度少なくとも１つのチャネル上で伝送することは、
メッセージを第一のチャネルのいずれかのスロットにおいて伝送することを含む、請求項１０記載の方法。
【請求項１２】
前記メッセージを少なくとも一度少なくとも１つのチャネル上で伝送することは、
指標を第一のチャネル上の所定スロットに含めること、及び
チャネル割当情報が指標によって示されていれば、第一のチャネル上の所定のスロットに対応するスロットである、第二のチャネル上のスロットにメッセージを含めることを含む、請求項１０記載の方法。
【請求項１３】
前記指標を所定スロットに含めることは、
同報ページング周期を決定すること、及び
指標を各同報ページング周期の第ｎ番目のスロットに含めることを含む、請求項１２記載の方法。
【請求項１４】
前記指標を各同報ページング周期の第ｎ番目のスロットに含めることは、
指標を各同報ページング周期の第一のスロットに含めることを含む、請求項１３記載の方法。
【請求項１５】
前記メッセージを第二のチャネル上のスロットに含めることは、
第一のチャネル上の所定のスロットから所定の間隔だけオフセットされるスロットである、第二のチャネル上のスロットにメッセージを含めることを含む、請求項１２記載の方法。
【請求項１６】
前記メッセージを少なくとも一度少なくとも１つのチャネル上で伝送することは、
指標を第一のチャネル上の第一のスロットに含めること、及び
チャネル割当情報が指標によって示されていれば、第一のスロットに対応する第二のスロットである、第二のチャネル上の第二のスロットにメッセージを含めることを含む、請求項１０記載の方法。
【請求項１７】
前記指標を第一のスロットに含めることは、
マルチキャスト・ページング周期を決定すること、及び
マルチキャスト・ページング周期及びマルチキャスト群識別子に従って第一のスロットを決定することを含む、請求項１６記載の方法。
【請求項１８】
前記マルチキャスト・ページング周期及びマルチキャスト群識別子に従って第一のスロットを決定することは、
マルチキャスト・ページング周期及びマルチキャスト群識別子をハッシング関数に入力すること、及び
第一のスロットをハッシング関数によって出力された値に設定することを含む、請求項１７記載の方法。
【請求項１９】
前記メッセージを第二のチャネル上の第二のスロットに含めることは、
第一のスロットから所定の間隔だけオフセットされる第二のスロットである、第二のチャネル上の第二のスロットにメッセージを含めることである、請求項１６記載の方法。
【請求項２０】
前記第一のスロットから所定の間隔だけオフセットされる第二のスロットは、
第一のスロットから１００ミリ秒だけオフセットされる、請求項１９記載の方法。
【請求項２１】
前記マルチキャスト・サービス通知を同報することは、
マルチキャスト・サービス通知及びスロット指標を同報することを含む、請求項１０記載の方法。
【請求項２２】
前記受信する少なくとも１つの応答に従って前記マルチキャスト・サービス・チャネルを割当てることは、
共有マルチキャスト・サービス・チャネル割当情報をメッセージに含めること、及び
メッセージを第一のチャネル上のスロット指標によって指示されたスロットにおいて伝送することを含む、請求項２１記載の方法。
【請求項２３】
前記メッセージを少なくとも一度少なくとも１つのチャネル上で伝送することは、
前記受信された少なくとも１つの応答に従って少なくとも１つのチャネル上の少なくとも１つのスロットを決定すること、及び
メッセージを少なくとも１つのチャネルの前記決定された少なくとも１つのスロットにおいて伝送することを含む、請求項１０記載の方法。
【請求項２４】
前記受信する少なくとも１つの応答に従って前記マルチキャスト・サービス・チャネルを割当てることは、
応答の数が所定の閾値以下であれば、専用マルチキャスト・サービス・チャネルを割当てることを含む、請求項８記載の方法。
【請求項２５】
前記専用マルチキャスト・サービス・チャネルを割当てることは、 
専用マルチキャスト・サービス・チャネル情報をメッセージに含めること、及び 
メッセージを少なくとも一度少なくとも１つのチャネル上で伝送することを含む、請求項２４記載の方法。
【請求項２６】
前記メッセージを少なくとも一度少なくとも１つのチャネル上で伝送することは、
前記受信された少なくとも１つの応答に従って少なくとも１つのチャネル上の少なくとも１つのスロットを決定すること、及び
前記決定された少なくとも１つのチャネルの少なくとも１つのスロットにおいてメッセージを伝送することを含む、請求項２５記載の方法。
【請求項２７】
前記メッセージを少なくとも一度少なくとも１つのチャネル上で伝送することは、
第一のチャネルの任意のスロットにおいてメッセージを伝送することを含む、請求項２５記載の方法。
【請求項２８】
前記メッセージを少なくとも一度少なくとも１つのチャネル上で伝送することは、
第一のチャネル上の所定のスロットに指標を含めること、及び
チャネル割当情報が指標によって指示されていれば、第一のチャネル上の所定のスロットに対応するスロットである、第二のチャネル上のスロットにメッセージを含めることを含む、請求項２５記載の方法。
【請求項２９】
前記所定のスロットに指標を含めることは、
同報ページング周期を決定すること、及び
指標を各同報ページング周期の第ｎ番目のスロットに含めることを含む、請求項２８記載の方法。
【請求項３０】
前記指標を各同報ページング周期の第ｎ番目のスロットに含めることは、
指標を各同報ページング周期の第一のスロットに含めることを含む、請求項２９記載の方法。
【請求項３１】
前記メッセージを第二のチャネル上のスロットに含めることは、
第一のチャネル上の所定のスロットから所定の間隔だけオフセットされるスロットである、第二のチャネル上のスロットにメッセージを含めることを含む、請求項２８記載の方法。
【請求項３２】
前記メッセージを少なくとも一度少なくとも１つのチャネル上で伝送することは、
指標を第一のチャネル上の第一のスロットに含めること、及び
チャネル割当情報が指標によって指示されていれば、第一のスロットに対応する第二のスロットである、第二のチャネル上の第二のスロットにメッセージを含めることを含む、請求項２５記載の方法。
【請求項３３】
前記指標を第一のスロットに含めることは、
マルチキャスト・ページング周期を決定すること、及び
マルチキャスト・ページング周期及びマルチキャスト群識別子に従って第一のスロットを決定することを含む、請求項３２記載の方法。
【請求項３４】
前記マルチキャスト・ページング周期及びマルチキャスト群識別子に従って第一のスロットを決定することは、
マルチキャスト・ページング周期及びマルチキャスト群識別子をハッシング関数に入力すること、及び
第一のスロットをハッシング関数によって出力された値に設定することを含む、請求項３３記載の方法。
【請求項３５】
前記メッセージを第二のチャネル上の第二のスロットに含めることは、
第一のスロットから所定の間隔だけオフセットされる第二のスロットである、第二のチャネル上の第二のスロットにメッセージを含めることを含む、請求項３２記載の方法。
【請求項３６】
前記第一のスロットから所定の間隔だけオフセットされる第二のスロットは、
第一のスロットから１００ミリ秒だけオフセットされる第二のスロットを含む、請求項３５記載の方法。
【請求項３７】
前記マルチキャスト・サービス通知を同報することは、
マルチキャスト・サービス通知及びスロット指標を同報することを含む、請求項２４記載の方法。
【請求項３８】
前記受信する少なくとも１つの応答に従って前記マルチキャスト・サービス・チャネルを割当てることは、
専用マルチキャスト・サービス・チャネル割当情報をメッセージに含めること、及び
第一のチャネル上のスロット指標によって指示されたスロットにおいてメッセージを伝送することを含む、請求項２５記載の方法。
【請求項３９】
通信システムにおけるマルチキャスト・サービス・チャネル割当のための方法であって、
チャネル割当情報を複数のメッセージに含めること、及び
第一のチャネル上で複数のメッセージを伝送することを含む方法。
【請求項４０】
前記チャネル割当情報を複数のメッセージに含めることは、
チャネル割当情報を複数のメッセージに含めることを含み、前記メッセージはマルチキャスト・サービス通知を含む、請求項３９記載の方法。
【請求項４１】
前記チャネル割当情報を複数のメッセージに含めることは、 
共有チャネル割当情報を複数のメッセージに含めることを含む、請求項４０記載の方法。
【請求項４２】
通信システムにおける加入者局のマルチキャスト・サービス・チャネル割当のための方法であって、
チャネル上で定期的に繰返されるメッセージを監視すること、及び
マルチキャスト・サービス通知及びチャネル割当情報が定期的に繰返されるメッセージに含まれていたかどうかを決定するために、定期的に繰返されるメッセージを復号することを含む方法。
【請求項４３】
前記チャネル割当情報を複数のメッセージに含めることは、
専用チャネル割当情報を複数のメッセージに含めることを含む、請求項４０記載の方法。
【請求項４４】
通信システムにおけるマルチキャスト・サービス・チャネル割当のための方法であって、
マルチキャスト・サービス通知を複数のメッセージに含めること、
第一のチャネル上で複数のメッセージを伝送すること、
前記複数のメッセージに対する少なくとも１つの応答を受信すること、及び
前記受信された少なくとも１つの応答に従ってマルチキャスト・サービス・チャネルを割当てることを含む方法。
【請求項４５】
前記受信された少なくとも１つの応答に従って前記マルチキャスト・サービス・チャネルを割当てることは、
応答の数が所定の閾値を超えれば、共有マルチキャスト・サービス・チャネルを割当てることを含む、請求項４４記載の方法。
【請求項４６】
前記共有マルチキャスト・サービス・チャネルを割当てることは、 
共有マルチキャスト・サービス・チャネル割当情報をメッセージに含めること、及び
メッセージを少なくとも一度第一のチャネル上で伝送することを含む、請求項４５記載の方法。
【請求項４７】
前記メッセージを少なくとも一度第一のチャネル上で伝送することは、
メッセージを第一のチャネルの任意のスロットにおいて伝送することを含む、請求項４６記載の方法。
【請求項４８】
前記メッセージを少なくとも一度第一のチャネル上で伝送することは、
指標を第一のチャネル上の所定のスロットに含めること、及び
チャネル割当情報が指標によって指示されていれば、第一のチャネル上の所定のスロットに対応するスロットである、第二のチャネル上のスロットにメッセージを含めることを含む、請求項４６記載の方法。
【請求項４９】
前記指標を第一のチャネル上の所定のスロットに含めることは、
同報ページング周期を決定すること、及び
指標を各同報ページング周期の第ｎ番目のスロットに含めることを含む、請求項４８記載の方法。
【請求項５０】
前記指標を各同報ページング周期の第ｎ番目のスロットに含めることは、
指標を各同報ページング周期の第一のスロットに含めることを含む、請求項４９記載の方法。
【請求項５１】
前記メッセージを第二のチャネル上のスロットに含めることは、 
第一のチャネル上の所定のスロットから所定の間隔だけオフセットされるスロットである、第二のチャネル上のスロットにメッセージを含めることを含む、請求項４８記載の方法。
【請求項５２】
前記メッセージを少なくとも一度少なくとも１つのチャネル上で伝送することは、
指標を第一のチャネル上の第一のスロットに含めること、及び
チャネル割当情報が指標によって指示されていれば、第一のスロットに対応する第二のスロットである、第二のチャネル上の第二のスロットにメッセージを含めることを含む、請求項４６記載の方法。
【請求項５３】
前記指標を第一のチャネル上の第一のスロットに含めることは、
マルチキャスト・ページング周期を決定すること、及び
マルチキャスト・ページング周期及びマルチキャスト群識別子に従って第一のスロットを決定することを含む、請求項５２記載の方法。
【請求項５４】
前記マルチキャスト・ページング周期及びマルチキャスト群識別子に従って第一のスロットを決定することは、
マルチキャスト・ページング周期及びマルチキャスト群識別子をハッシング関数に入力すること、及び
第一のスロットをハッシング関数によって出力された値に設定することを含む、請求項５３記載の方法。
【請求項５５】
前記メッセージを第二のチャネル上の第二のスロットに含めることは、
第一のスロットから所定の間隔だけオフセットされる第二のスロットである、第二のチャネル上の第二のスロットにメッセージを含めることを含む、請求項５２記載の方法。
【請求項５６】
前記第一のスロットから所定の間隔だけオフセットされる第二のスロットは、
第一のスロットから１００ミリ秒だけオフセットされる第二のスロットを含む、請求項５５記載の方法。
【請求項５７】
前記マルチキャスト・サービス通知を複数のメッセージに含めることは、
マルチキャスト・サービス通知及びスロット指標を複数のメッセージに含めることを含む、請求項４６記載の方法。
【請求項５８】
前記受信する少なくとも１つの応答に従って前記マルチキャスト・サービス・チャネルを割当てることは、
共有マルチキャスト・チャネル割当情報をメッセージに含めること、及び
メッセージを第一のチャネル上のスロット指標によって指示されたスロットにおいて伝送することを含む、請求項５７記載の方法。
【請求項５９】
前記メッセージを少なくとも一度少なくとも１つのチャネル上で伝送することは、
前記受信する少なくとも１つの応答に従って少なくとも１つのチャネル上の少なくとも１つのスロットを決定すること、及び
メッセージを少なくとも１つのチャネルの前記決定された少なくとも１つのスロットにおいて伝送することを含む、請求項４６記載の方法。
【請求項６０】
前記受信する少なくとも１つの応答に従って前記マルチキャスト・サービス・チャネルを割当てることは、
応答の数が所定の閾値以下であれば、専用マルチキャスト・サービス・チャネルを割当てることを含む、請求項４４記載の方法。
【請求項６１】
前記専用マルチキャスト・サービス・チャネルを割当てることは、
専用マルチキャスト・サービス・チャネル割当情報をメッセージに含めること、及び
メッセージを少なくとも一度第一のチャネル上で伝送することを含む、請求項６０記載の方法。
【請求項６２】
前記メッセージを少なくとも一度第一のチャネル上で伝送することは、
前記受信された少なくとも１つの応答に従って少なくとも１つのスロットを決定すること、及び
第一のチャネルの前記決定された少なくとも１つのスロットにおいてメッセージを伝送することを含む、請求項６１記載の方法。
【請求項６３】
前記メッセージを少なくとも一度第一のチャネル上で伝送することは、
メッセージを第一のチャネルの任意のスロットにおいて伝送することを含む、請求項６１記載の方法。
【請求項６４】
前記メッセージを少なくとも一度第一のチャネル上で伝送することは、
指標を第一のチャネル上の所定のスロットに含めること、及び
チャネル割当情報が指標によって指示されていれば、第一のチャネル上の所定スロットに対応するスロットである、第二のチャネル上のスロットに指標を含めることを含む、請求項６１記載の方法。
【請求項６５】
前記指標を第一のチャネル上の所定のスロットに含めることは、
同報ページング周期を決定すること、及び
指標を各同報ページング周期の第ｎ番目のスロットに含めることを含む、請求項６４記載の方法。
【請求項６６】
前記指標を各同報ページング周期の第ｎ番目のスロットに含めることは、
指標を各同報ページング周期の第一のスロットに含めることを含む、請求項６５記載の方法。
【請求項６７】
前記メッセージを第二のチャネル上のスロットに含めることは、 
第一のチャネル上の所定のスロットから所定の間隔だけオフセットされるスロットである、第二のチャネル上のスロットにメッセージを含めることを含む、請求項６４記載の方法。
【請求項６８】
前記メッセージを少なくとも一度少なくとも１つのチャネル上で伝送することは、
指標を第一のチャネル上の第一のスロットに含めること、及び
チャネル割当情報が指標によって指示されていれば、第一のスロットに対応する第二のスロットである、第二のチャネル上の第二のスロットにメッセージを含めることを含む、請求項６１記載の方法。
【請求項６９】
前記指標を第一のスロットに含めることは、
マルチキャスト・ページング周期を決定すること、及び
マルチキャスト・ページング周期及びマルチキャスト群識別子に従って第一のスロットを決定することを含む、請求項６８記載の方法。
【請求項７０】
前記マルチキャスト・ページング周期及びマルチキャスト群識別子に従って第一のスロットを決定することは、
マルチキャスト・ページング周期及びマルチキャスト群識別子をハッシング関数に入力すること、及び
第一のスロットをハッシング関数によって出力される値に設定することを含む、請求項６９記載の方法。
【請求項７１】
前記メッセージを第二のチャネル上の第二のスロットに含めることは、
第一のスロットから所定の間隔だけオフセットされる第二のスロットである、第二のチャネル上の第二のスロットにメッセージを含めることを含む、請求項７０記載の方法。
【請求項７２】
前記第一のスロットから所定の間隔だけオフセットされる第二のスロットは、
第一のスロットから１００ミリ秒だけオフセットされる第二のスロットを含む、請求項６８記載の方法。
【請求項７３】
前記マルチキャスト・サービス通知を複数のメッセージに含めることは、
マルチキャスト・サービス通知及びスロット指標を複数のメッセージに含めることを含む、請求項６１記載の方法。
【請求項７４】
前記受信する少なくとも１つの応答に従って前記マルチキャスト・サービス・チャネルを割当てることは、
専用マルチキャスト・サービス・チャネル割当情報をメッセージに含めること、及び
メッセージを第一のチャネル上のスロット指標によって指示されたスロットにおいて伝送することを含む、請求項７３記載の方法。
【請求項７５】
通信システムにおけるマルチキャスト・サービス・チャネル割当のための装置であって、
送信器、
送信器に接続されたプロセッサ、及び
チャネル割当情報を少なくとも１つの定期的に繰返されるメッセージに含め、且つ送信器に第一のチャネル上で定期的に繰返されるメッセージを送信させるように、プロセッサに接続され、且つプロセッサによって実行可能な一組の命令を含む記憶媒体を具備する装置。
【請求項７６】
前記プロセッサは、チャネル割当情報を少なくとも１つの定期的に繰返されるメッセージに含め、前記メッセージがさらにマルチキャストサービス通知を含むように、一組の命令を実行することによってチャネル割当情報を少なくとも１つの定期的に繰返されるメッセージに含める、請求項７５記載の装置。
【請求項７７】
前記プロセッサは、共有チャネル割当情報を少なくとも１つの定期的に繰返されるメッセージに含めるように、一組の命令を実行することによってチャネル割当情報を少なくとも１つの定期的に繰返されるメッセージに含める、請求項７５記載の装置。
【請求項７８】
通信システムにおけるマルチキャスト・サービス・チャネル割当のための装置であって、
チャネル上で定期的に繰返されるメッセージを監視し、且つマルチキャスト・サービス通知及びチャネル割当情報が定期的に繰返されたメッセージに含まれていたかどうかを判定するため、定期的に繰返されるメッセージを復号するように構成された加入者局を具備する装置。
【請求項７９】
通信システムにおけるマルチキャスト・サービスについてチャネル割当のための装置であって、
送信器、
送信器に接続されたプロセッサ、及び
チャネル割当情報を少なくとも１つの定期的に繰返されるメッセージに含め、且つ送信器に第一のチャネル上で定期的に繰返されるメッセージを送信させるように、プロセッサに接続され、且つプロセッサによって実行可能な一組の命令を含む記憶媒体を具備する装置。
【請求項８０】
前記プロセッサは、共有チャネル割当情報をメッセージに含めるように、一組の命令を実行することによってチャネル割当情報をメッセージに含める、請求項７９記載の装置。
【請求項８１】
通信システムにおけるマルチキャスト・サービスについてチャネル割当のための装置であって、
チャネルのスロットを監視し、且つチャネル割当情報及びマルチキャスト・サービス通知がメッセージに含まれていたかどうかを判定するためスロットにおいて伝送されるメッセージを復号するように構成された加入者局を具備する装置。
【請求項８２】
通信システムにおけるマルチキャスト・サービス・チャネル割当のための装置であって、
プロセッサ、及び
マルチキャスト・サービス通知を同報し、前記同報されたマルチキャスト・サービス通知に対する少なくとも１つの応答を受信し、且つ前記受信された少なくとも１つの応答に従ってマルチキャスト・サービス・チャネルを割当てるように、プロセッサに接続され、且つプロセッサによって実行可能な一組の命令を含む記憶媒体を具備する装置。
【請求項８３】
応答の数が所定の閾値を超えれば、前記プロセッサは共有マルチキャスト・サービス・チャネルを割当てるために、一組の命令を実行することによって前記受信する少なくとも１つの応答に従ってマルチキャスト・サービス・チャネルを割当てる、請求項８２記載の装置。
【請求項８４】
前記プロセッサに接続された送信器をさらに具備し、前記プロセッサは共有マルチキャスト・サービス・チャネル割当情報をメッセージに含めて、且つ前記送信器にメッセージを少なくとも一度少なくとも１つのチャネル上で送信させるように、一組の命令を実行することによって共有マルチキャスト・サービス・チャネルを割当てる、請求項８３記載の装置。
【請求項８５】
前記プロセッサは、前記送信器にメッセージを第一のチャネルの任意のスロットにおいて送信させるために、一組の命令を実行することによって前記送信器にメッセージを少なくとも一度少なくとも１つのチャネル上で送信させる、請求項８４記載の装置。
【請求項８６】
前記プロセッサは、指標を第一のチャネル上の所定スロットに含めて、且つチャネル割当情報が指標によって指示されていれば、第一のチャネル上の所定のスロットに対応するスロットである、第二のチャネル上のスロットにメッセージを含めるように、一組の命令を実行することによって前記送信器にメッセージを少なくとも一度少なくとも１つのチャネル上で送信させる、請求項８４記載の装置。
【請求項８７】
前記プロセッサは、同報ページング周期を決定し、且つ指標を各同報ページング周期の第ｎ番目のスロットに含めるように、一組の命令を実行することによって指標を所定のスロットに含める、請求項８６記載の装置。
【請求項８８】
前記プロセッサは、指標を各同報ページング周期の第一のスロットに含めるように、一組の命令を実行することによって指標を各同報ページング周期の第ｎ番目のスロットに含める、請求項８７記載の装置。
【請求項８９】
前記のプロセッサは、第一のチャネル上の所定のスロットから所定の間隔だけオフセットされるスロットである、第二のチャネル上のスロットにメッセージを含めるように、一組の命令を実行することによってメッセージを第二のチャネル上のスロットに含める、請求項８６記載の装置。
【請求項９０】
前記プロセッサは、指標を第一のチャネル上の第一のスロットに含めて、且つチャネル割当情報が指標によって指示されていれば、第一のスロットに対応する第二のスロットである、第二のチャネル上の第二のスロットにメッセージを含めるように、一組の命令を実行することによって前記送信器にメッセージを少なくとも一度少なくとも１つのチャネル上で送信させる、請求項８４記載の装置。
【請求項９１】
前記プロセッサは、マルチキャスト・ページング周期を決定し、且つマルチキャスト・ページング周期及びマルチキャスト群識別子に従って第一のスロットを決定するように、一組の命令を実行することによって指標を第一のスロットに含める、請求項９０記載の装置。
【請求項９２】
前記プロセッサは、マルチキャスト・ページング周期及びマルチキャスト群識別子をハッシング関数に入力し、且つ第一のスロットをハッシング関数によって出力された値に設定するように、一組の命令を実行することによってマルチキャスト・ページング周期及び群識別子に従って第一のスロットを決定する、請求項９１記載の装置。
【請求項９３】
前記プロセッサは、第一のスロットから所定の間隔だけオフセットされる第二のスロットである、第二のチャネル上の第二のスロットにメッセージを含めるように、一組の命令を実行することによってメッセージを第二のチャネル上の第二のスロットに含める、請求項９０記載の装置。
【請求項９４】
前記プロセッサは、第一のスロットから１００ミリ秒だけオフセットするように、一組の命令を実行することによって第一のスロットから所定の間隔だけ第二のスロットをオフセットする、請求項９３記載の装置。
【請求項９５】
前記プロセッサは、マルチキャスト・サービス通知及びスロット指標を同報するように、一組の命令を処理してマルチキャスト・サービス通知を同報する、請求項８４記載の装置。
【請求項９６】
前記プロセッサは、共有マルチキャスト・サービス・チャネル割当情報をメッセージに含めて、且つ前記送信器に第一のチャネル上のスロット指標によって指示されたスロットにおいてメッセージを伝送させるように、一組の命令を処理して前記受信する少なくとも１つの応答に従ってマルチキャスト・サービス・チャネルを割当てる、請求項９５記載の装置。
【請求項９７】
前記プロセッサは、前記受信された少なくとも１つの応答に従って少なくとも１つのチャネル上の少なくとも１つのスロットを決定し、且つ前記送信器に前記決定された少なくとも１つのチャネルの少なくとも１つのスロットにおいてメッセージを伝送させるために、一組の命令を処理して前記送信器にメッセージを少なくとも一度少なくとも１つのチャネル上で伝送させる、請求項８４記載の装置。
【請求項９８】
前記プロセッサは、前記受信する少なくとも１つ応答に従って応答の数が所定の閾値以下であれば、専用マルチキャスト・サービス・チャネルを割当てるように、一組の命令を処理してマルチキャスト・サービス・チャネルを割当てる、請求項８２記載の装置。
【請求項９９】
前記プロセッサは、専用マルチキャスト・サービス・チャネル割当情報をメッセージに含めて、且つ送信器にメッセージを少なくとも一度少なくとも１つのチャネル上で伝送させるために、一組の命令を処理して専用マルチキャスト・サービス・チャネルを割当てる、請求項９８記載の装置。
【請求項１００】
前記プロセッサは、前記受信された少なくとも１つの応答に従って少なくとも１つのチャネル上の少なくとも１つのスロットを決定し、且つ送信器に少なくとも１つのチャネル上の決定された少なくとも１つのスロットにおいてメッセージを伝送させるために、一組の命令を処理して前記送信器にメッセージを少なくとも一度少なくとも１つのチャネル上で伝送させる、請求項９９記載の装置。
【請求項１０１】
前記プロセッサは、前記送信器にメッセージを第一のチャネルの任意のスロットにおいて伝送させるため、一組の命令を処理して前記送信器にメッセージを少なくとも一度少なくとも１つのチャネル上で伝送させる、請求項９９記載の装置。
【請求項１０２】
前記プロセッサは、指標を第一のチャネル上の所定のスロットに含めて、且つチャネル割当情報が指標によって指示されていれば、第一のチャネル上の所定のスロットに対応するスロットである、第二のチャネル上のスロットにメッセージを含めるために、一組の命令を処理して前記送信器にメッセージを少なくとも一度少なくとも１つのチャネル上で伝送させる、請求項９９記載の装置。
【請求項１０３】
前記プロセッサは、同報ページング周期を決定し、且つ指標を各同報ページング周期の第ｎ番目のスロットに含めるために、一組の命令を処理して指標を所定のスロットに含める、請求項１０２記載の装置。
【請求項１０４】
前記プロセッサは、指標を各同報ページング周期の第一のスロットに含めるために、一組の命令を処理して指標を各同報ページング周期の第ｎ番目のスロットに含める、請求項１０３記載の装置。
【請求項１０５】
前記プロセッサは、第一のチャネル上の所定のスロットから所定の間隔だけオフセットされるスロットである、第二のチャネル上のスロットにメッセージを含めるために、一組の命令を処理してメッセージを第二のチャネル上のスロットに含める、請求項１０２記載の装置。
【請求項１０６】
前記プロセッサは、指標を第一のチャネル上の第一のスロットに含めて、且つチャネル割当情報が指標によって指示されていれば、第一のスロットに対応する第二のスロットである、第二のチャネル上の第二のスロットにメッセージを含めるために、一組の命令を処理して前記送信器にメッセージを少なくとも一度少なくとも１つのチャネル上で伝送させる、請求項９９記載の装置。
【請求項１０７】
前記プロセッサは、マルチキャスト・ページング周期を決定し、且つマルチキャスト・ページング周期及びマルチキャスト群識別子に従って第一のスロットを決定するために、一組の命令を処理して指標を第一のスロットに含める、請求項１０６記載の装置。
【請求項１０８】
前記プロセッサは、マルチキャスト・ページング周期及びマルチキャスト群識別子をハッシング関数に入力し、且つ第一のスロットをハッシング関数によって出力された値に設定するために、一組の命令を処理してマルチキャスト・ページング周期及びマルチキャスト群識別子に従って第一のスロットを決定する、請求項１０７記載の装置。
【請求項１０９】
前記プロセッサは、第一のスロットから所定の間隔だけオフセットされる第二のスロットである、第二のチャネル上の第二のスロットにメッセージを含めるために、一組の命令を処理してメッセージを第二のチャネル上の第二のスロットに含める、請求項１０６記載の装置。
【請求項１１０】
前記プロセッサは、第一のスロットから１００ミリ秒だけ第二のスロットをオフセットするために、一組の命令を処理して第一のスロットから所定の間隔だけ第二のスロットをオフセットする、請求項１０９記載の装置。
【請求項１１１】
前記プロセッサは、マルチキャスト・サービス通知及びスロット指標を同報するために、一組の命令を処理してマルチキャスト・サービス通知を同報する、請求項９８記載の装置。
【請求項１１２】
前記プロセッサは、専用マルチキャスト・サービス・チャネル割当情報をメッセージに含めて、且つ送信器に第一のチャネル上のスロット指標によって指示されたスロットにおいてメッセージを伝送させるように、一組の命令を処理して前記受信する少なくとも１つの応答に従ってマルチキャスト・サービス・チャネルを割当てる、請求項９９記載の装置。
【請求項１１３】
通信システムにおけるマルチキャスト・サービス・チャネル割当のための装置であって、
送信器、
送信器に接続されたプロセッサ、及び
チャネル割当情報を複数のメッセージに含めて、且つ前記送信器に第一のチャネル上で複数のメッセージを送信させるために、プロセッサに接続され、且つプロセッサによって実行可能な一組の命令を含む記憶媒体を具備する装置。
【請求項１１４】
前記プロセッサは、チャネル割当情報を複数のメッセージに含め、前記メッセージがマルチキャスト・サービス通知を含むように、一組の命令を実行することによってチャネル割当情報を複数のメッセージに含める、請求項１１３記載の装置。
【請求項１１５】
前記プロセッサは、共有チャネル割当情報を複数のメッセージに含めるために、一組の命令を実行することによってチャネル割当情報を複数のメッセージに含める、請求項１１４記載の装置。
【請求項１１６】
通信システムにおけるマルチキャスト・サービス・チャネル割当のための装置であって、
チャネル上で定期的に繰返されるメッセージを監視し、且つマルチキャスト・サービス通知及びチャネル割当情報が定期的に繰返されるメッセージに含まれていたかを判定するため、定期的に繰返されるメッセージを復号するように構成された加入者局を具備する装置。
【請求項１１７】
前記プロセッサは、専用チャネル割当情報を複数のメッセージに含めるために、一組の命令を実行することによってチャネル割当情報を複数のメッセージに含める、請求項１１４記載の装置。
【請求項１１８】
通信システムにおけるマルチキャスト・サービス・チャネル割当のための装置であって、
送信器、
受信器、
前記送信器及び前記受信器に接続されたプロセッサ、及び
マルチキャスト・サービス通知を複数のメッセージに含めて、前記送信器に第一のチャネル上で複数のメッセージを伝送させ、前記受信器に前記複数のメッセージに対する少なくとも１つの応答を受信させ、且つ前記受信された応答に従ってマルチキャスト・サービス・チャネルを割当てるために、プロセッサに接続され、且つプロセッサによって実行可能な一組の命令を含む記憶媒体を具備する装置。
【請求項１１９】
前記プロセッサは、応答の数が所定の閾値を超えれば、共有サービス・チャネルを割当てるために、一組の命令を実行することによって前記受信する少なくとも１つの応答に従ってマルチキャスト・サービス・チャネルを割当てる、請求項１１８記載の装置。
【請求項１２０】
前記プロセッサは、共有マルチキャスト・サービス・チャネル割当情報をメッセージに含めて、且つ前記送信器に少なくとも一度第一のチャネル上でメッセージを伝送させるために、一組の命令を実行することによって共有マルチキャスト・サービス・チャネルを割当てる、請求項１１９記載の装置。
【請求項１２１】
前記プロセッサは、前記送信器に第一のチャネルのあるスロットにおいてメッセージを伝送させるために、一組の命令を実行することによって前記送信器に少なくとも一度第一のチャネル上でメッセージを伝送させる、請求項１２０記載の装置。
【請求項１２２】
前記プロセッサは、指標を第一のチャネル上の所定のスロットに含めて、且つチャネル割当情報が指標によって指示されていれば、第一のチャネル上の所定のスロットに対応するスロットである、第二のチャネル上のスロットにメッセージを含めるために、一組の命令を実行することによって前記送信器に少なくとも一度第一のチャネル上でメッセージを伝送させる、請求項１２０記載の装置。
【請求項１２３】
前記プロセッサは、同報ページング周期を決定し、且つ指標を各同報ページング周期の第ｎ番目のスロットに含めるように、一組の命令を実行することによって指標を所定のスロットに含める、請求項１２２記載の装置。
【請求項１２４】
前記プロセッサは、指標を各同報ページング周期の第一のスロットに含めるために、一組の命令を実行することによって指標を各同報ページング周期の第ｎ番目のスロットに含める、請求項１２３記載の装置。
【請求項１２５】
前記プロセッサは、第一のチャネル上の所定のスロットから所定の間隔だけオフセットされるスロットである、第二のチャネル上のスロットにメッセージを含めるために、一組の命令を実行することによってメッセージを第二のチャネル上のスロットに含める、請求項１２２記載の装置。
【請求項１２６】
前記プロセッサは、指標を第一のチャネル上の第一のスロットに含めて、且つチャネル割当情報が指標によって示されていれば、第一のスロットに対応する第二のスロットである、第二のチャネル上の第二のスロットにメッセージを含めるために、一組の命令を実行することによって前記送信器に少なくとも一度少なくとも１つのチャネル上でメッセージを伝送させる、請求項１２０記載の装置。
【請求項１２７】
前記プロセッサは、マルチキャスト・ページング周期を決定し、且つマルチキャスト・ページング周期及びマルチキャスト群識別子に従って第一のスロットを決定するために、一組の命令を実行することによって指標を第一のスロットに含める、請求項１２６記載の装置。
【請求項１２８】
前記プロセッサは、マルチキャスト・ページング周期及びマルチキャスト群識別子をハッシング関数に入力し、且つ第一のスロットをハッシング関数によって出力された値に設定するために、一組の命令を実行することによってマルチキャスト・ページング周期及びマルチキャスト群識別子に従って第一のスロットを決定する、請求項１２７記載の装置。
【請求項１２９】
前記プロセッサは、第一のスロットから所定の間隔だけオフセットされる第二のスロットである、第二のチャネル上の第二のスロットにメッセージを含めるために、一組の命令を実行することによってメッセージを第二のチャネル上の第二のスロットに含める、請求項１２６記載の装置。
【請求項１３０】
前記プロセッサは、第一のスロットから１００ミリ秒だけ第二のスロットをオフセットするために、一組の命令を実行することによって第一のスロットから所定の間隔だけ第二のスロットをオフセットする、請求項１２９記載の装置。
【請求項１３１】
前記プロセッサは、マルチキャスト・サービス通知及びスロット指標を複数のメッセージに含めるために、一組の命令を実行することによってマルチキャスト・サービス通知を複数のメッセージに含める、請求項１２０記載の装置。
【請求項１３２】
前記プロセッサは、共有マルチキャスト・サービス・チャネル割当情報をメッセージに含めて、且つ前記送信器に第一のチャネル上のスロット指標によって指示されたスロットにおいてメッセージを伝送させるために、一組の命令を実行することによって前記受信する少なくとも１つの応答に従ってマルチキャスト・サービス・チャネルを割当てる、請求項１３１記載の装置。
【請求項１３３】
前記プロセッサは、前記受信された少なくとも１つの応答に従って少なくとも１つのチャネル上の少なくとも１つのスロットを決定し、且つ前記送信器に少なくとも１つのチャネルの前記決定された少なくとも１つのスロットにおいてメッセージを伝送させるために、一組の命令を実行することによって前記送信器に少なくとも一度少なくとも１つのチャネル上でメッセージを伝送させる、請求項１２０記載の装置。
【請求項１３４】
前記プロセッサは、応答の数が所定の閾値以下であれば、専用マルチキャスト・サービス・チャネルを割当てるために、一組の命令を実行することによって前記受信された少なくとも１つの応答に従ってマルチキャスト・サービス・チャネルを割当てる、請求項１１８記載の装置。
【請求項１３５】
前記プロセッサは、専用マルチキャスト・サービス・チャネル割当情報をメッセージに含めて、且つ前記送信器に少なくとも一度第一のチャネル上でメッセージを伝送させるために、一組の命令を実行することによって専用マルチキャスト・サービス・チャネルを割当てる、請求項１３４記載の装置。
【請求項１３６】
前記プロセッサは、前記受信された少なくとも１つの応答に従って少なくとも１つのスロットを決定し、且つ前記送信器に第一のチャネルの前記決定された少なくとも１つのスロットにおいてメッセージを伝送させるために、一組の命令を実行することによって前記送信器に少なくとも一度第一のチャネル上でメッセージを伝送させる、請求項１３５記載の装置。
【請求項１３７】
前記プロセッサは、前記送信器に第一のチャネルの任意のスロットにおいてメッセージを伝送させるために、一組の命令を実行することによって前記送信器に少なくとも一度第一のチャネル上でメッセージを伝送させる、請求項１３５記載の装置。
【請求項１３８】
前記プロセッサは、指標を第一のチャネル上の所定のスロットに含めて、且つチャネル割当情報が指標によって指示されていれば、第一のチャネル上の所定のスロットに対応するスロットである、第二のチャネル上のスロットにメッセージを含めるために、一組の命令を実行することによって前記送信器に少なくとも一度第一のチャネル上でメッセージを伝送させる、請求項１３５記載の装置。
【請求項１３９】
前記プロセッサは、同報ページング周期を決定し、且つ指標を各同報ページング周期の第ｎ番目のスロットに含めるために、一組の命令を実行することによって指標を所定のスロットに含める、請求項１３８記載の装置。
【請求項１４０】
前記プロセッサは、指標を各同報ページング周期の第一のスロットに含めるために、一組の命令を実行することによって指標を各同報ページング周期の第ｎ番目のスロットに含める、請求項１３９記載の装置。
【請求項１４１】
前記プロセッサは、第一のチャネル上の所定のスロットから所定の間隔だけオフセットされるスロットである第二のチャネル上のスロットにメッセージを含めるために、一組の命令を実行することによってメッセージを第二のチャネル上のスロットに含める、請求項１３８記載の装置。
【請求項１４２】
前記プロセッサは、指標を第一のチャネル上の第一のスロットに含めて、且つチャネル割当情報が指標によって指示されていれば、第一のスロットに対応する第二のスロットである、第二のチャネル上の第二のスロットにメッセージを含めるために、一組の命令を実行することによって前記送信器に少なくとも一度少なくとも１つのチャネル上でメッセージを伝送させる、請求項１３５記載の装置。
【請求項１４３】
前記プロセッサは、マルチキャスト・ページング周期を決定し、且つマルチキャスト・ページング周期及びマルチキャスト群識別子に従って第一のスロットを決定するために、一組の命令を実行することによって指標を第一のスロットに含める、請求項１４２記載の装置。
【請求項１４４】
前記プロセッサは、マルチキャスト・ページングサイクル周期及びマルチキャスト群識別子をハッシング関数に入力し、且つ第一のスロットをハッシング関数によって出力された値に設定するために、一組の命令を実行することによってマルチキャスト・ページング周期及びマルチキャスト群識別子に従って第一のスロットを決定する、請求項１４３記載の装置。
【請求項１４５】
前記プロセッサは、第一のスロットから所定の間隔だけオフセットされる第二のスロットである、第二のチャネル上の第二のスロットにメッセージを含めるように、一組の命令を実行することによってメッセージを第二のチャネル上の第二のスロットに含める、請求項１４４記載の装置。
【請求項１４６】
前記プロセッサは、第二のスロットを第一のスロットから１００ミリ秒だけオフセットするために、一組の命令を実行することによって第一のスロットから所定の間隔だけ第二のスロットをオフセットする、請求項１４２記載の装置。
【請求項１４７】
前記プロセッサは、マルチキャスト・サービス通知及びスロット指標を複数のメッセージに含めるように、一組の命令を実行することによってマルチキャスト・サービス通知を複数のメッセージに含める、請求項１３５記載の装置。
【請求項１４８】
前記プロセッサは、専用マルチキャスト・サービス・チャネル割当情報をメッセージに含めて、且つ前記送信器に第一のチャネル上のスロット指標によって指示されたスロットにおいてメッセージ伝送させるために、一組の命令を実行することによって前記受信する少なくとも１つの応答に従ってマルチキャスト・サービス・チャネルを割当てる、請求項１４７記載の装置。
【発明の詳細な説明】
【技術分野】
【０００１】
本発明は有線または無線通信システムにおけるマルチキャスト通信に関係する。特に、本発明はそのような通信システムにおけるマルチキャスト・サービス開始のためのシステム及び方法に関係する。
【背景技術】
【０００２】
通信システムは発信局から物理的に別個の目的局へ情報信号の伝送を行うために開発されてきた。通信チャネル上で発信局から情報信号を伝送する際、情報信号は最初に通信チャネル上で効率的な伝送に適した形式に変換される。情報信号の変換、または変調はその結果生じる変調搬送波のスペクトルが通信チャネル帯域幅の中で限定されるように情報信号に従って搬送波のパラメータを変えることを必要とする。目的局において、元の情報信号は通信チャネル上で受信された変調搬送波から再生される。一般に、そのような再生は発信局によって使用される変調処理の逆処理を使用することによって達成される。
【０００３】
変調はまた多元接続（multiple-access）、即ち、共通通信チャネル上のいくつかの信号の同時伝送及び／または受信を容易にする。多元接続通信システムは大抵は共通通信チャネルへの連続接続よりむしろ比較的短い期間の断続接続を必要とする複数の遠隔加入者ユニットを含む。時分割多元接続（ＴＤＭＡ）、及び周波数分割多元接続（ＦＤＭＡ）といった、いくつかの多元接続技術が当技術分野において知られている。別の型の多元接続技術は「二重モード広帯域スペクトル拡散セルラー・システムのためのＴＩＡ／ＥＩＡ／ＩＳ‐９５移動局‐基地局互換規格（TIA/EIA/1S-95 Mobile Station-Base Station Compatibility Standard for Dual-Mode Wide-Band Spread Spectrum Cellular System）」に適合し、以後ＩＳ‐９５規格として引用される符号分割多元接続（ＣＤＭＡ）である。多元接続通信システムにおけるＣＤＭＡ技術の使用は、「衛星または地上中継器を使用するスペクトル拡散通信システム（SPREAD SPECTRUM MULTIPLE-ACCESS COMMUNICATION SYSTEM USING SATELLITE OR TERRESTRIAL REPEATERS）」と題する米国特許第４，９０１，３０７号、及び「ＣＤＭＡセルラー電話システムにおいて波形を生成するためのシステム及び方法（SYSTEM AND METHOD FOR GENERATING WAVEFORMS IN A CDMA CELLULAR TELEPHONE SYSTEM）」と題する米国特許第５，１０３，４５９号に開示され、両者共に本発明の譲請人に譲渡されている。
【０００４】
多元接続通信システムは無線または有線であってもよく、音声トラフィック及び／またはデータ・トラフィックを搬送する。音声及びデータ・トラフィックを搬送する通信システムの例はＩＳ‐９５に従うシステムであり、それは通信チャネル上で伝送する音声及びデータ・トラフィックを指定する。固定サイズの符号チャネル・フレームでデータを伝送する方法は「伝送のためのデータをフォーマットする方法及び装置（METHOD AND APPARATUS FOR THE FORMATTING OF DATA FOR TRANSMISSION）」と題し、本発明の譲請人に譲渡されている米国特許第５，５０４，７７３号に詳述されている。ＩＳ‐９５に従って、データ・トラフィックまたは音声トラフィックは１４．４Ｋｂｐｓという高データ伝送率をもつ２０ミリ秒幅の符号チャネル・フレームに分割される。音声及びデータ・トラフィックを搬送する通信システムの別の例は、文書番号３Ｇ  ＴＳ２５．２１１、３Ｇ  ＴＳ２５．２１２、３Ｇ  ＴＳ２５．２１３、及び３Ｇ  ＴＳ２５．２１４（Ｗ‐ＣＤＭＡ規格）を含む一組の文書中に具体化された「第３世代共同計画（3rd Generation Partnership Project 、３ＧＰＰ）」、または「ＴＲ‐４５．５  ｃｄｍａ２０００スペクトル拡散システムのための物理層規格（TR-45.5 Physical Layer Standard for cdma2000 Spread Spectrum Systems）」（ＩＳ‐２０００規格）に適合する通信システムを含む。
【０００５】
多元接続通信システムでは、ユーザー間の通信は一以上の基地局を通して行なわれる。用語「ユーザー」は活動（animate）及び非活動（inanimate）の実体の両者を意味する。１つの無線加入者局上の第一のユーザーは逆方向回線上の情報信号を基地局へ伝達することによって第二の無線加入者局上の第二のユーザーに通信する。基地局は情報信号を受信し、順方向回線上で第二の加入者局へ情報信号を伝達する。第二の加入者局がその基地局のサービス領域になければ、基地局は第二の加入者局がそのサービス領域にある別の基地局へデータの経路を定める。そして、第二の基地局は情報信号を順方向回線上で第二の加入者局へ伝達する。順方向回線は基地局から無線加入者局への伝送を意味し、逆方向回線は無線加入者局から基地局への伝達を意味する。同様に、その通信は無線加入者局の第一のユーザーと地上局の第二のユーザーとの間で行うことができる。基地局は逆方向回線上で無線加入者局上の第一のユーザーからデータを受信し、公衆交換電話網（public switched telephone network、ＰＳＴＮ）を通して地上局上の第二のユーザーにデータの経路を定める。例えば、ＩＳ‐９５、Ｗ‐ＣＤＭＡ、ＩＳ‐２０００といった多くの通信システムでは、順方向回線及び逆方向回線は別々の周波数を割当てられる。
【０００６】
上述の無線通信システムは二点間サービスの例であり、そこでは第一のユーザーからの情報は第二のユーザーだけに向けられる。一方、マルチキャスト・サービスは発信源、ユーザーまたは内容サーバによって提供された情報が全てのユーザーの一部（subset）に指定されるサービスである。マルチキャスト・システムのモデルはユーザーの群構成員（group membership）によって定義される一群の選択されたユーザーを含む。群構成員は特定のマルチキャスト内容に加入された加入者局のユーザーを含む。簡単にするために、用語「メンバー加入者局（member subscriber station）」は別に表明されない限り「加入者局上のユーザー（user on a subscriber station）」を意味するために使用される。
【０００７】
そのようなモデルでは、メンバー加入者局はある内容を持った情報、例えば、ニュース、映画、スポーツ行事等を一以上の内容サーバによって有料網を介して提供される。用語「アクセス網」は基地局の集団及び一以上の基地局の制御器を意味するためにここでは使用される。各メンバー加入者局はその情報が伝達される順方向回線チャネルを監視する。順方向回線チャネルはメンバー加入者局の間で共有されるか、もしくは各メンバー加入者局とアクセス網の局、例えば、メンバー加入者局にサービスする基地局との間に確立される。内容サーバは固定して内容を決定するので、メンバー加入者局は一般にアクセス網に返信をしていない。
【０００８】
代わりに、情報源はユーザー、選択された群のメンバーであり、ユーザーは選択された群の残りのメンバー向けの情報を提供する。ユーザーが情報を提供することを望むならば、ユーザーは通信システムに、例えば、プッシュトーク（push-to-talk、ＰＩＴ）ボタンを押すことによって通告する。一般的に、ユーザー供給情報は加入者局から専用逆方向回線上で基地局へ導かれる。そして、基地局はマルチキャスト順方向回線上でユーザー供給情報を伝達する。二点間通信システムの場合と同様に、マルチキャスト通信システムは地上通信線及び無線加入者局双方がシステムにアクセスすることを可能にする。上述のサービスはまた群サービスと云われる。群サービス通信システムの例は地方警察無線システム（local police radio systems）、タクシー配送システム（taxicab dispatch systems）、連邦情報局業務（Federal Bureau of Intelligence and Secret Service operations）、及び一般軍用通信システムといった配送サービス（dispatch services）を含む。
【０００９】
上記のマルチキャスト・サービス通信システムは一般に高度専門化された目的構成の通信システムである。無線セルラー電話システムにおける最近の進歩に関して、（主として二点間）マルチキャスト・サービスのためのセルラー電話システムの現存する基盤を利用することに対する関心があった。（ここに使用されるように、用語「セルラー（cellular）」システムはセルラーまたＰＣＳ周波数を包含する）。
【発明の開示】
【発明が解決しようとする課題】
【００１０】
マルチキャスト・サービスのセルラー電話システムへの導入は現行のセルラー電話システムによって提供される二点間サービスによるマルチキャスト・サービスの統合を必要とする。特に、アクセス網と加入者局は双方共にマルチキャスト・モードと二点間通信モードを許容する機能を支援することが可能である必要がある。二点間セルラー電話システムはマルチキャスト・サービスに対応しないので、マルチキャスト・サービス手続き、特にマルチキャスト・サービス開始のための方法及びシステムが当技術分野において必要性がある。
【課題を解決するための手段】
【００１１】
ここに開示される実施例は少なくとも１つの定期的に繰返されるメッセージにチャネル割当情報を含めること、且つ第一のチャネル上で定期的に繰返されるメッセージを伝送することによって上述の必要性に対処するものである。加入者局はチャネル上で定期的に繰返されるメッセージを監視し、且つマルチキャスト・サービス通知及びチャネル割当情報が定期的に繰返されるメッセージに含まれていたかどうかを判定するために定期的に繰返されるメッセージを復号する。
【００１２】
別の実施例では、上述の必要性はチャネル割当情報及びマルチキャスト・サービス通知をメッセージ中に含めること、且つそのメッセージを少なくとも一度伝送することによって対処される。加入者局はチャネルのスロットを監視し、且つチャネル割当情報及びマルチキャスト・サービス通知がメッセージに含まれていたかどうかを判定するためにスロットにおいて伝達されたメッセージを復号する。
【００１３】
別の実施例では、上述の必要性はマルチキャスト・サービス通知を同報すること、前記同報マルチキャストサービス通報に対する少なくとも１つの応答を受信すること、且つ前記受信の少なくとも１つの応答に従ってマルチキャスト・サービス・チャネルを割当てることによって対処される。
【００１４】
別の実施例では、上述の必要性は複数のメッセージにマルチキャスト・サービス通知を含めること、第一のチャネル上で複数のメッセージを伝送すること、前記複数のメッセージに対する少なくとも１つの応答を受信すること、且つ前記受信された少なくとも１つの応答に従ってマルチキャスト・サービス・チャネルを割当てることによって対処される。
【００１５】
別の実施例では、上述の必要性は複数のメッセージにマルチキャスト・サービス通報を含めること、第一のチャネル上で複数のメッセージを伝送すること、前記複数のメッセージに対する少なくとも１つの応答を受信すること、且つ前記受信された少なくとも１つの応答に従ってマルチキャスト・サービス・チャネルを割当てることによって対処される。
【発明を実施するための最良の形態】
【００１６】
定義
用語「典型的な（exemplary）」は「例（example）、事例（instance）、または例証（illustration）として役立つ」ことを意味するものとして専らここでは使用される。「典型的な」としてここに記述された実施例は他の実施例に対して好ましい、或いは有利であると必ずしも解釈されない。
【００１７】
用語「二点間通信（point-to-point communication）」は専用通信チャネル上の二つの加入者局の間の通信を意味することにここでは使用される。
【００１８】
用語「群サービス（group service）」、「一対多地点通信（point-to-multipoint communication）」、「プッシュトーク（push-to-talk）」、または「配送サービス（dispatch service）」は複数の加入者局が一般的に１つの加入者局から通信を受信する通信を意味することにここでは使用される。
【００１９】
用語「アクセス網（access network）」は基地局（ＢＳ）の集団及び一以上の基地局の制御器を意味することにここでは使用される。アクセス網はデータ・パケットを多数の加入者局で移送する。さらに、アクセス網は企業のイントラネットまたはインターネットといったアクセス網の外の別の網と接続され、各アクセス端末とそのような外部の網との間でデータ・パケットを移送する。
【００２０】
用語「基地局（base station）」は加入者局が通信するハードウェアを意味することにここでは使用される。その用語が使われる文脈に応じて、「セル（cell）」はハードウェアまたは地理的な受信区域を意味する。「セクタ（sector）」はセルの仕切である。セクタはセルの属性を持っているので、セルに関して記述された教示はセクタに直ちに拡張される。
【００２１】
用語「加入者局（subscriber station）」はアクセス網が通信するハードウェアを意味することにここでは使用される。加入者局は移動可能、もしくは静止している。加入者局は、例えば、光ファイバまたは同軸ケーブルを使用して、無線チャネルまたは有線チャネルを介して通信するあるデータ・デバイスである。加入者局はさらにＰＣカード、コンパクト・フラッシュ、外付けもしくは内蔵モデム、または無線もしくは有線電話を含むが、それに限定されないいくつかの型のデバイスを含む。基地局と稼働（active）トラフィック・チャネル接続を確立する過程にある加入者局は接続設定状態にあると云われる。基地局と稼働トラフィック・チャネル接続を確立した加入者局は稼働加入者局と呼ばれ、トラフィック状態にあると云われる。
【００２２】
用語「物理チャネル（physical channel）」は変調特性及び符号化によって記述される信号が伝播する通信ルートを意味することにここでは使用される。
【００２３】
用語「論理チャネル（logical channel）」は基地局か加入者局のいずれかのプロトコル層中の通信ルートを意味することにここでは使用される。
【００２４】
用語「通信チャネル／回線（communication channel/link）」は文脈に従って物理チャネルまたは論理チャネルを意味することにここでは使用される。
【００２５】
用語「逆方向チャネル／回線（reverse channel/link）」は加入者局が信号を基地局へ送信する通信チャネル／回線を意味することにここでは使用される。
【００２６】
用語「順方向チャネル／回線（reverse channel/link）」は基地局が信号を加入者局へ送信する通信チャネル／回線を意味することにここでは使用される。
【００２７】
詳細な説明
先に述べたように、マルチキャスト・システムのモデルはユーザーの群構成員（user's group membership）によって定義されたユーザーの選択された一群を含む。群構成員は特定のマルチキャスト内容に加入した加入者局のユーザーを含む。一以上の内容サーバまたは別のユーザーはマルチキャスト内容を提供する。図１は本発明の実施例に従ってマルチキャスト・サービス（また、マルチキャスト呼出と云われる）を提供することが可能な通信システム１００の概念図を例示する。
【００２８】
先に述べたように、マルチキャスト内容は内容サーバ（ＣＳ）において発する。内容サーバは網内ではＣＳ１  １０２（１）、またはインターネット（ＩＰ）１０４の外ではＣＳ２  １０２（２）に位置する。その内容はパッケットの形でマルチキャスト・パケット・データ・サービス節点（multicast packet data-serving node、ＭＰＤＳＮ）１０６に伝送される。用語「ＭＰＤＳＮ」はＭＰＤＳＮが物理的に共に配置されているか、通常のＰＤＳＮ（示されていない）と同一の機能を提供するかもしれないが、ＭＰＤＳＮが論理的に通常のＰＤＳＮと異なるので使用される。パケットの目的地に従って、ＭＰＤＳＮはパケットをパケット制御機能（ＰＣＦ）１０８に伝送する。基地局制御器が通常の音声トラフィック及びデータ・トラフィックのサービスのためのものであるように、ＰＣＦはマルチキャスト・パケット・データ・サービスを含むあるパケット・データ・サービスのために基地局１１０の機能を制御する制御実体である。マルチキャスト・パケット・データの高レベル概念と物理アクセス網との関係を例示するために、ＰＣＦは物理的には共に配置されているが、論理的には基地局制御器（ＢＳＣ）とは異なることを図１は示している。このことは教育目的だけであることを当業者は理解している。ＢＳＣ１０８は基地局１１０にパケットを提供する。用語「基地局」が使用されるが、それらの実施例が等しくセクタに適用できるということを当業者は認識している。
【００２９】
同様に、内容がＣＳ１０２（１）で発すれば、その内容は加入者電話網（ＰＳＴＮ）１１２に伝送される。内容目的地に従って、ＰＳＴＮ１１２は内容を基地局制御器ＢＳＣ１０８に伝送する。ＢＳＣ１０８は内容を基地局１１０に提供する。
【００３０】
さらに別の実施例では、ＣＳ１０２（１）で発する内容はパケットの形で相互動作機能１２０を経由してＰＳＴＮ１１２に伝送される。内容目的地に従って、ＰＳＴＮ１１２は内容を基地局制御器ＢＳＣ１０８に伝送する。ＢＳＣ１０８は内容を基地局１１０に提供する。
【００３１】
基地局１１０は順方向チャネル１１４上で内容をメンバー加入者局に提供する。先に述べたように、順方向チャネルはメンバー加入者局の間で共有されるか、もしくは各メンバー加入者局とメンバー加入者局にサービスする基地局との間で設定される。共有順方向チャネルの使用は、「通信システムにおいて提供される一対多点サービスのための方法及び装置（Method and Apparatus for Point-to-Multipoint Services Provided in Communication Systems）」と題し、２００２年３月２８日出願の同時係属米国特許出願第１０／１１３，２５７号に開示されている。情報同報のための共通及び専用チャネルの使用は、「通信システムにおける一対多点サービスに関するチャネル管理のための方法及び装置（Method and Apparatus for Channel Management for Point-to-Multipoint Services in a Communication System）」と題し、２００２年３月２８日に出願され、本発明の譲請人に譲渡された同時係属米国特許出願第１０／１１３，０９８号に開示されている。しかしながら、列挙された特許出願は指導目的のみのものであり、他の通信システムは同様な機能を実行するチャネルを利用しており、従ってその教示は他の通信システムに適用可能であることを当業者は理解している。
【００３２】
代わりに、メンバー加入者局、例えば、メンバー加入者局１１６（１）はマルチキャスト内容を他のメンバー加入者局、例えば、メンバー加入者局１１６（２）へアクセス網を経由して通信する。メンバー加入者局１１６（１）はマルチキャスト内容をアクセス網によって加入者局１１６（１）に割当てられた逆方向回線チャネル１１８上で群に通信する。逆方向回線チャネル割当は当業者には周知であり、例えば、上記の特許出願番号１０／１１３，２５７及び１０／１１３，０９８を参照せよ。基地局１１０（１）は受信情報を基地局１１０（２）へ導き（route）、導かれた情報を順方向チャネル１１４（２）上でメンバー加入者局１１６（２）に伝送する。
【００３３】
マルチキャスト・サービスは供給されるべきとき、マルチキャスト呼出開始を可能にする手続きに従わなければならない。そのような手続きはいくつかの段階に分割される。第一の段階で、マルチキャスト・サービスが提供されることであるメンバー加入者局は通知されなければならない。次の（任意の）段階で、関心のあるメンバー加入者局は通知に応答する。その次の段階で、その内容が伝達されるであろうチャネルが選択され、且つ割当てられる。
【００３４】
マルチキャスト呼出開始の通知
上で述べたように、マルチキャスト呼出が開始されるとき、マルチキャスト群のメンバーである加入者局は通知されなければならない。
【００３５】
１つの実施例では、アクセス網は通知情報を定期的に送られるメッセージ、例えば、オーバヘッド・メッセージ経由で加入者局に同報することによってマルチキャスト呼出を開始する。用語「オーバヘッド・メッセージ」は定期的に各セクタによって伝送されるシステム・パラメータと関係があるメッセージを意味することにここでは使用される。マルチキャスト呼出通知を含むオーバヘッド・メッセージは別の呼出を行っていない全ての加入者局によって監視されるチャネル上でその受信区域がメンバー加入者局を含むセクタによって伝送される。ＩＳ‐２０００規格に従う通信システムにおけるそのような配置の例は順方向ページング・チャネル（Ｆ‐ＰＣＨ）または順方向同報制御チャネル（Ｆ‐ＢＣＣＨ）上で伝送されるオーバヘッド・メッセージである。
【００３６】
マルチキャスト呼出はマルチキャスト呼出が行われるメンバー加入者局に関してマルチキャスト群の識別子（ＧＲＯＵＰ_ＩＤ）をオーバヘッド・メッセージ中に含めることによって通知する。一以上のマルチキャスト呼出が開始されつつあれば、オーバヘッド・メッセージはマルチキャスト呼出が行われる全てのマルチキャスト群の識別子（identifiers）を含む。識別子は１つのオーバヘッド・メッセージ、いくつかのオーバヘッド・メッセージ中で送信されるか、またはマルチキャスト呼出の期間全てのオーバヘッド・メッセージに含まれる。最後の選択は加入者局が既に未決定のマルチキャスト呼出に加わることを可能にする。識別子がマルチキャスト呼出の期間オーバヘッド・メッセージに含まれるならば、特定のマルチキャスト群に対するマルチキャスト呼出の終了の際、特定のマルチキャスト群識別子はメッセージから除去される。識別子に加えて、オーバヘッド・メッセージは通知されたマルチキャスト呼出に関する情報、例えば、トラフィック・チャネル割当の形式、使用される加入者移送（bearer transport）の形式、及び当業者に既知の他の関連情報をさらに提供する。もちろん、オーバヘッド・メッセージの残りの部分は上で述べたようなシステム関連情報を含む。
【００３７】
上記の実施例に従うメッセージ・フローの例は図２に例示される。時間ｔ１で、セクタＳは識別子ＧＲＯＵＰ_ＩＤｘを持つ群向けのマルチキャスト呼出が開始する指示ＧＲＯＵＰ_ＩＤｘを受信する。その指示は通信システムの別の実体、例えば、基地局制御器、ＰＳＴＮ、情報源（示されない）、他の実体によって提供される。代りに、セクタＳは加入者局ＭＳ_１及びＭＳ_２の同一性を受信する。そして、セクタＳは加入者局ＭＳ_１及びＭＳ_２を含むマルチキャスト群ＧＲＯＵＰ_ＩＤｘの識別子を、例えば、データベースを照会することによって判定する。先に述べたように、情報源は、例えば、サーバ、別の加入者局、または当業者には既知の他の源を含む。セクタＳは１つの実施例では同報システム・パラメータ・メッセージＢＳＰＭ（ＧＲＯＵＰ_ＩＤｘ）を含むオーバヘッド・メッセージに識別子を含め、そして時間ｔ２でＢＳＰＭ（ＧＲＯＵＰ_ＩＤｘ）を同報する。ＢＳＰＭ（ＧＲＯＵＰ_ＩＤｘ）を持つ群のメンバーである加入者局MＳ_１及びＭＳ_２はＢＳＰＭ（ＧＲＯＵＰ_ＩＤｘ）を受信し、適切な行動、例えば、アクセス網に応答を伝送し、ユーザーに通知するために確認されたマルチキャスト呼出が伝送されつつある物理チャネルの監視開始、及び特定の通信システムの設計に従って他の行動を取る。図２は識別子がマルチキャスト呼出の期間の間オーバヘッド・メッセージに含められる実施例を示す。オーバヘッド・メッセージＢＳＰＭは定期的に繰返すので、その識別子は、同様に、オーバヘッド・メッセージＢＳＰＭの次の段階に伝送される。時間ｔ３におけるただ１つの場合が示される。
【００３８】
時間ｔ４で、セクタＳは情報源（示されない）から識別子ＧＲＯＵＰ_ＩＤｙを持つ群向けのマルチキャスト呼出が開始する指示ＧＲＯＵＰ_ＩＤｙを受信する。セクタＳはオーバヘッド・メッセージ、例えば、ＢＳＰＭに識別子を含める。二つの群はマルチキャスト呼出を通知されつつあるので、時間ｔ５で伝送される同報オーバヘッド・メッセージは両方の識別子ＢＳＰＭ（ＧＲＯＵＰ_ＩＤｘ、ＧＲＯＵＰ_ＩＤｙ）を含む。識別子ＧＲＯＵＰ_ＩＤｙを持つ群のメンバーである加入者局ＭＳ_３はオーバヘッド・メッセージＢＳＰＭ（ＧＲＯＵＰ_ＩＤｘ、ＧＲＯＵＰ_ＩＤｙ）を受信し、上で示されたように適切な行動をとる。
【００３９】
時間ｔ６において、セクタＳは情報源（示されない）から識別子ＧＲＯＵＰ_ＩＤｘを持つ群に行われたマルチキャスト呼出が終結する指示ＧＲＯＵＰ_ＩＤｘ終了を受信する。セクタＳはオーバヘッド・メッセージ、例えば、ＢＳＰＭから識別子を除去し、時間ｔ７で識別子ＧＲＯＵＰ_ＩＤｙ、ＢＳＰＭ（ＧＲＯＵＰ_ＩＤｙ）のみを含むオーバヘッド・メッセージを同報する。識別子ＧＲＯＵＰ_ＩＤｘを持つ群のメンバーである加入者局ＭＳ_１及びＭＳ_２はオーバヘッド・メッセージＧＲＯＵＰ_ＩＤｘを受信し、例えば、識別子ＧＲＯＵＰ_ＩＤｙに対応するマルチキャスト呼出が伝送されつつある物理チャネルの監視を終結するために、適切な行動をとる。マルチキャスト呼出ＢＳＰＭ（ＧＲＯＵＰ_ＩＤｙ）は影響を受けず、終結するまで続く。終了の際、識別子ＧＲＯＵＰ_ＩＤｙはＢＳＰＭから除去される。
【００４０】
同報メッセージは定期的に繰返されるので、加入者局は呼出の開始後いつでも呼出に加わることができる。同報メッセージがページング・チャネル容量に影響を及ぼすことを防止するために、同報メッセージ長を制限することが望ましい。従って、同報メッセージに含まれる群の数は制限される。その上、同報メッセージは各呼出開始及び終了と共に変わるので、加入者局は同報メッセージの全ての更新を監視しなければならない。別の実施例では、マルチキャスト群のメンバーである各加入者局は加入者局にアドレス指定された個々のメッセージによってマルチキャスト呼出の開始を通知される。１つの実施例では、個々のメッセージは個々のマルチキャスト・ページ（ＭＣＰ）を含む。個々のＭＣＰの概念はＩＳ‐２０００規格に従って通信システムの文脈において説明される。図３で概念的に例示されたように、ページ・メッセージ３００は多くのページ３０２を持ち、各々は異なる加入者局または加入者局の群向けになっている。ページ・メッセージ３００は、例えば、一般的なページ・メッセージ（ＧＰＭ）または普遍的なページ・メッセージ（ＵＰＭ）を含み、ＧＰＭまたはＵＰＭのいずれも異なるページ記録形式である。ページ・メッセージはＦ‐ＰＣＨまたは順方向共通制御チャネル（Ｆ‐ＣＣＣＨ）上で伝達される。ページ・メッセージ中で搬送される個々のページ３０２はページ・レコード形式で参照され、各ページ・レコード形式は目的加入者局のアドレス３０６、ページの型（即ち、個々または同報）３０８、内容（即ち、呼出のサービス選択）３１０、及び他の情報、例えば、系列番号を含む。アドレス指定はページ・アドレス形式（ＡＤＤＲ_ＴＹＰＥ）、例えば、臨時移動局識別子（Temporary Mobile Station Identifier、ＴＭＳＩ）、加入者局を個々にアドレス指定するための国際移動局識別子（international mobile station identifier、ＩＭＳＩ）、または全ての加入者局をアドレス指定するためのアドレス形式において指定される。ページ・メッセージ３００を受信すると、加入者局はページ３０２が加入者局向けのものであるかどうかを判定するためにアドレス３０６を復号する。ページ３０２が加入者局向けのものであることをアドレス３０６が示せば、加入者局は呼出の形式を決定するために形式３０８を復号し、呼出の詳細を決定するために内容３１０を復号する。呼出の各形式、即ち、音声呼出、データ呼出、二点間通信システムにおけるＳＯ３３呼出は対応するページ・レコードを持っている。先に述べたように、マルチキャスト呼出は新しい形式の呼出であるので、個々のＭＣＰは新しいページ・レコード形式として定義されなければならない。
【００４１】
マルチキャスト呼出はマルチキャスト群の識別子（ＧＲＯＵＰ_ＩＤ）を個々のＭＣＰに含めることによって通知される。個々のＭＣＰはページ・メッセージに含められ、順方向チャネル、例えば、Ｆ‐ＰＣＨまたはＦ‐ＣＣＣＨ上で、メンバー加入者局の特定アドレスを使って送信される。その上、 ＭＣＰはさらに通知された呼出に関連する情報、例えば、トラフィック・チャネル割当の形式、使用される加入者移送の形式、及び当業者に既知の他の関連情報を提供する。
【００４２】
上記の実施例に従うメッセージ・フローの例は図４に例示される。時間ｔ１で、セクタＳはＧＲＯＵＰ_ＩＤｘを持つ群に行われるマルチキャスト呼出が開始する指示ＧＲＯＵＰ_ＩＤｘを受信する。その指示は通信システムの別の実体、例えば、基地局制御器、ＰＳＴＮ、情報源（示されない）、他の実体によって与えられる。そして、セクタＳは、例えば、データベースを照会することによって加入者局ＭＳ_１及びＭＳ_２の同一性を判定する。代りに、セクタＳは加入者局ＭＳ_１及びＭＳ_２の同一性を受信する。そして、セクタＳは加入者局ＭＳ_１及びＭＳ_２に関する識別子ＧＲＯＵＰ_ＩＤｘを含む個々のＭＣＰを作成する。
【００４３】
当業者はページング・チャネルがスロット化または非スロット化ページング・モードで動作することを認識しており、そのようなモードは当業者に既知の文書に述べられている。例として、そのようなモードはＩＳ‐９５規格、「移動通信受信器における電力消費を低減するための方法及び装置（METHOD AND APPARATUS FOR REDUCING POWER CONSUMPTION IN A MOBILE COMMUNICATION RECEIVER）」と題し、１９９５年２月２１日に発行され、本発明の譲請人に譲渡された米国特許第５，３９２，２８７号に記載されている。指導目的のために、図４は加入者局がスロット化モードにおいてＦ‐ＰＣＨ及びＦ‐ＣＣＣＨを監視する通信システム形態を例示する。しかしながら、当業者は非スロット化モードで使用できることを理解するであろう。当業者が理解するように、用語「スロット（slot）」は時間で表された長さを持つ物理チャネルの仕切、チップの数または他の適当な単位を云う。
【００４４】
セクタＳは、加入者局ＭＳ_１に割当てられたページング・スロットについて時間ｔ２まで待ち、そしてページ・メッセージの一部としてＭＳ_１について個々のＭＣＰを伝達する。そして、加入者局ＭＳ_１は、例えば、識別子ＧＲＯＵＰ_ＩＤｘに対応するマルチキャスト呼出が伝送されつつある物理チャネルの監視を開始し、応答を伝送し、ユーザーに通知するため、適切な行動を取り、及び特定の通信システムの設計に従って他の行動をとる。そして、セクタＳは加入者局ＭＳ_２に割当てられたページング・スロットについて時間ｔ３まで待ち、そして前に示したようにページ・メッセージの一部としてＭＳ_２についてＭＣＰを伝達する。そして、加入者局ＭＳ_２は上で述べたように適切な行動をとる。
【００４５】
別の実施例では、各メンバー加入者局は群に属する加入者局にアドレス指定された共通メッセージによってマルチキャスト呼出の開始について通知される。１つの実施例では、共通メッセージは共通マルチキャスト・ページ（ＭＣＰ）を含む。上で説明したように、共通ＭＣＰは全てではないが多数の加入者局向けであり、且つマルチキャスト呼出は呼出の新しい形式であるから、共通ＭＣＰは新しいページ・レコード形式として定義されなければならない。図３におけるページ・メッセージ３００の構造を参照すると、ページ・レコード形式３０２は新しいページ・アドレス、ページ・レコード形式３０２が、形式３０８と同様に、多数の加入者局向けであることを指示するマルチキャスト・アドレス（ＭＣ_ＡＤＲＥＳＳ）３０４、内容３１０、及び他の情報、例えば、系列番号３０４を含む。
【００４６】
新しいマルチキャスト呼出の開始はＧＲＯＵＰ_ＩＤによって識別されたマルチキャスト群に属するメンバー加入者局についてのＭＣＰへマルチキャスト群の識別子ＧＲＯＵＰ_ＩＤを含めることによって通知される。共通ＭＣＰはページ・メッセージに含まれ、順方向チャネル、即ち、Ｆ‐ＰＣＨまたはＦ‐ＣＣＣＨ上で、ＭＣ_ＡＤＤＲＥＳＳを使用して、共通ＭＣＰが向けられる加入者局に送信される。その上、そのＭＣＰはさらに通知された呼出に関連する情報、例えば、トラフィック・チャネル割当の形式、使用される加入者移送の形式、及び当業者に既知の他の関連情報を提供する。しかしながら、上で説明したように、現行の通信システムにおいて、加入者局は加入者局についてページが送られるページング・チャネル・スロットを監視するために割当てられる。しかしながら、ＧＲＯＵＰ_ＩＤによって識別された群に属する加入者局はページング・チャネル上で同じスロットを必ずしも割当てられるとは限らない。さらに、ページングを受持つ実体、即ち、基地局制御器（ＢＳＣ）はどちらの加入者局が特定のマルチキャスト群であるか分からず、従って、ＢＳＣは個々の加入者局とＭＣ_ＡＤＤＲＥＳＳ間の写像を実行することができない。ＭＣＰはマルチキャストＩＰアドレス上でＩＰパケットを受信することにより始動されるので、そのような筋書きは例えば、マルチキャスト・サービスがインターネット・プロトコル（ＩＰ）上で提供されるとき発生する。従って、マルチキャスト呼出開始情報を伝送する効率的な方法を可能にする方法が必要とされる。
【００４７】
従って、１つの実施例に従って、共通ＭＣＰは同報ページング周期（ＢＰＣ）の最初のスロット中で送信される。ＢＰＣの概念はＩＳ‐２０００規格に従う通信システムにおいて実行されるものとしてページング・チャネルに関して説明される。図５に例示したように、Ｆ‐ＰＣＨ及びＦ‐ＣＣＣＨはスロットに分割される。定期的同報ページングを可能にするために、同報ページング周期は次のように与えられる期間によって（Ｆ‐ＰＣＨ／Ｆ‐ＣＣＣＨスロットの数で）定義される、
ＢＰＣ＝Ｂ＋Ｘ            （１）
但し、Ｂは次のように与えられる、
Ｂ＝２ｉ×１６            （２）
但し、Ｆ‐ＰＣＨについては１≦ｉ≦７、Ｆ‐ＣＣＣＨについては２≦ｉ≦８、そしてＸは固定オフセット値である。例えば、ＩＳ‐２０００規格に従う通信システムにおいて、その値はＦ‐ＰＣＨ上で３、そしてＦ‐ＣＣＣＨ上で７である。
【００４８】
同報指数ｉ（ＢＣＡＳＴ_ＩＮＤＥＸ）の値はＦ‐ＰＣＨについては拡張システム・パラメータ・メッセージ（Extended System Parameters Message、ＥＳＰＭ）、及びＦ‐ＣＣＣＨ上についてはマルチキャリア無線資源パラメータ・メッセージ（Multicarrier Radio Resource Parameters Message、ＭＣＲＲ）においてセクタによって送信される。
【００４９】
スロット化モードにおける加入者局はスロットを監視し、次の式に従って決定される、
B=２ｊ×１６            （３）
但し、Ｆ‐ＰＣＨについては１≦ｊ≦７、Ｆ‐ＣＣＣＨについては２≦ｊ≦８、
ここで、スロット指数ｊ（ＢＣＡＳＴ_ＩＮＤＥＸ）の値はＦ‐ＰＣＨについては拡張システム・パラメータ・メッセージ（ＥＳＰＭ）、及びＦ‐ＣＣＣＨ上についてはマルチキャリア無線資源パラメータ・メッセージ（ＭＣＲＲ）においてセクタによって送信される。
【００５０】
従って、同報指数ｉとスロット指数ｊのある組合せについて、加入者局が式（２）に従って同報を監視する同報スロットと、式（３）に従ってスロット化モードにおいて個々にアドレス指定されたメッセージについて加入者局によって監視されるスロットとの間に衝突があるであろう。その衝突は同じスロットにおいて繰返されるであろう、従って、特定のスロットを監視する加入者局はマルチキャスト・ページと個々のページとの間で衝突に常に遭遇するであろう。式（１）に帰着する式（２）へのオフセットＸの導入は衝突を完全に除去しないが、衝突が同じスロット内で定期的に発生することを防ぎ、従って、その衝突は全ての加入者局に拡散される。このように、各加入者局は影響されないスロットにおいてどちらのメッセージでも復号することができる。
【００５１】
各ＢＰＣの最初のスロットはＦ‐ＰＣＨ／Ｆ‐ＣＣＣＨスロットであり、それについては次の式が成り立つ、
ｔ／４ｍｏｄ（ＢＰＣ）＝ｔ／４ｍｏｄ（Ｂ＋Ｘ）＝０      （４）
但し、ｔはフレームで表されたシステム時間を表す、そしてｍｏｄはモジュロ算法を意味する。
【００５２】
そのような配置は各加入者局を目覚めさせる必要があり、他のメッセージ形式について移動局に個々に割当てられたスロットだけでなく、Ｆ‐ＰＣＨ／Ｆ‐ＣＣＣＨのＢＰＣの全ての最初のスロットを監視し、斯くして電力消費を増大させるであろう。そのような電力消費を回避するために、Ｆ‐ＰＣＨ／Ｆ‐ＣＣＣＨと関連する順方向迅速ページング・チャネル（forward quick paging channel、Ｆ‐ＱＰＣＨ）のスロットは、対応するＦ‐ＰＣＨ／Ｆ‐ＣＣＣＨのＢＰＣの最初のスロット上で共通ＭＰＣの発生または非発生についてＦ‐ＱＰＣＨを監視する加入者局に知らせるために使用される同報指標（Broadcast Indicator、ＢＩ）ビットを含む。Ｆ‐ＰＣＨ／Ｆ‐ＣＣＣＨのＢＰＣの最初のスロット上に共通ＭＰＣがあれば、対応するＦ‐ＱＰＣＨのＢＩビットはＯＮになり、加入者局がＦ‐ＰＣＨ／Ｆ‐ＣＣＣＨ上のＢＰＣの最初のスロットの監視を開始することになる。ＢＩの期間はＦ‐ＰＣＨ／Ｆ‐ＣＣＣＨのスロットの期間よりはるかに短いので、加入者局が目を覚まし、ＢＰＣの最初のＦ‐ＱＰＣＨスロットのＢＩビットを監視する必要があるが、目を覚ます間隔はさらに短く、従って電池消費が旨く達成される。
【００５３】
上述の実施例の欠点は全てのマルチキャスト呼出のためのＭＣＰがＦ‐ＰＣＨ／Ｆ‐ＣＣＣＨ上のＢＰＣの最初のスロットで送信されるので、ＭＣＰが存在するとき、対応するＦ‐ＱＰＣＨ上のＢＩビットがＯＮに設定されることである。従って、ＢＩ指標を監視する各加入者局は目を覚まし、ＭＣＰがその加入者局向けであるかどうかを判定するためにＦ‐ＰＣＨ／Ｆ‐ＣＣＣＨ上の最初のスロットを監視しなければならない。従って、ＭＣＰが向けられるマルチキャスト群に属さない加入者局はなお電力消費を増加する。図５に例示したように、マルチキャスト群（ＧＣ_１）に属する加入者局ＭＳ１及びＭＳ２に関する共通ＭＣＰを含むＧＰＭはＦ‐ＰＣＨ／Ｆ‐ＣＣＣＨ上のＢＰＣの最初のスロット（スロット０_ｐ）中で伝送される。しかしながら、Ｆ‐ＱＰＣＨの対応するスロット（スロット０_ｑ）におけるＢＩビットはＯＮに設定されるので、全ての加入者局ＭＳ１〜ＭＳ４は目を覚まし、Ｆ‐ＰＣＨ／Ｆ‐ＣＣＣＨのスロット０_ｐを監視しなければならない。同様に、マルチキャスト群（ＧＣ_２）に属する加入者局ＭＳ３に関する共通ＭＣＰを含むＧＰＭはＦ‐ＰＣＨ／Ｆ‐ＣＣＣＨ（スロット４_ｐ）の次のＢＰＣの最初のスロットにおいて送信される。従って、ＧＰＭは加入者局ＭＳ３向けの共通ＭＣＰのみしか含まないが、Ｆ‐ＱＰＣＨ（スロット４_ｑ）の対応するスロットにおけるＢＩビットはＯＮに設定され、全ての加入者局ＭＳ１〜ＭＳ４は目を覚まし、Ｆ‐ＰＣＨ／Ｆ‐ＣＣＣＨのスロット０_ｐを監視しなければならない。
【００５４】
当業者は上述の実施例が現存の規格に対する譲歩としてＢＰＣの最初のスロットを利用したということを認識している。従って、そのような制限は一般に不必要で、アクセス網及び加入者局によって前もって一致されたＢＰＣのあるスロットは使用することができる。従って、別の実施例に従って、ＭＰＣがＦ‐ＰＣＨ／Ｆ‐ＣＣＣＨ上のＢＰＣの最初のスロットのみにおいて送信されるという制限は解除される。用語一貫性の理由で、用語「ＢＰＣ」は用語「マルチキャスト・ページング周期（multicast paging cycle、ＭＰＣＹ）と置換えられる。当業者はＢＰＣとＭＰＣＹの概念が同じであると理解している。加入者局がＦ‐ＰＣＨ／Ｆ‐ＣＣＣＨの全てのスロットを監視するため目覚めてないことがまだ望まれるので、セクタがどちらのスロットでメッセージを特定のマルチキャスト群へ送信すべきかを決定することを許容し、且つマルチキャスト群に属する加入者局がどちらのスロットを監視すべきかを決定することを許容する手続きを確立することが必要である。その手続きは入力パラメータ、例えば、ＭＰＣＹにおけるスロットの総数、及びＧＲＯＵＰ_ＩＤを受取り、ＧＲＯＵＰ_ＩＤによって識別されたマルチキャスト群に属する加入者局に関する共通ＭＰＣを含むページング・メッセージが伝送されるスロットを同定する数を出力する写像関数（mapping function）、例えばハッシュ（hash）関数によって定義される。代りに、その写像はスロット番号にＧＲＯＵＰ_ＩＤを写像する表（table）または他のアルゴリズムとして実施することができる。加入者局は各群のＧＲＯＵＰ_ＩＤを与えられるので、加入者局は、例えば、群への予約によってその群に属する、加入者局はＢＩ指標を読むために監視すべきＦ‐ＱＰＣＨスロットを決定するためハッシュ関数を使用する。これは誤報、即ち、加入者局が属さないマルチキャスト群のＭＣＰについて加入者局が目を覚ます可能性を減少させる。当業者はハッシュ関数が例としてのみ使用されたのであって、アクセス網及び加入者局の両方が入力パラメータを与えられた同じスロットに到達することを許容する他の写像関数が受入れ可能であることを理解している。
【００５５】
上述の実施例に従うメッセージ・フローの例は図６に例示される。時間ｔ１で、セクタＳはマルチキャスト呼出が加入者局ＭＳ_１及びＭＳ_２を含むＧＲＯＵＰ_ＩＤｘを持つ群向けであるという情報源（示されない）から指示ＧＲＯＵＰ_ＩＤｘを受信する。前に述べたように、そのような情報源は、例えば、サーバ、別の加入者局、または別の情報源である。セクタＳは加入者局ＭＳ_１及びＭＳ_２に関するＧＲＯＵＰ_ＩＤｘを含む共通のＭＣＰを作成し、ＭＰＣＹのスロットの番号と共にＧＲＯＵＰ_ＩＤｘを写像関数に入れる。図７を参照すると、ハッシュ関数はＧＲＯＵＰ_ＩＤｘに関するＭＣＰがスロット０_ｐにおいて送信されるべき指示を返す。時間ｔ２で、Ｆ‐ＣＣＣＨのスロット０_ｐに対応するＦ‐ＱＰＣＨのスロット（スロット０_ｑ）の始まりを指示して、セクタＳはＢＩビットをＯＮに設定する。どちらのＦ‐ＱＰＣＨのスロットを監視すべきかを決定するために同じハッシング関数を使用した加入者局ＭＳ_１及びＭＳ_２はスロット０_ｑ中のＢＩビットがＯＮに設定されること検知する。そして、加入者局ＭＳ_１及びＭＳ_２は時間ｔ３においてスロット０_ｐの監視のために目を覚ます。時間ｔ３で、スロット０_ｐの始まりを指示して、セクタＳはページ・メッセージの一部、例えば、ＧＰＭとしてＭＣＰを伝送する。
【００５６】
図５に示したように、ＭＳ_３はＧＲＯＵＰ_ＩＤｘによって示されたマルチキャスト群と異なるマルチキャスト群のメンバーである。ＭＳ_３が属するマルチキャスト群に対するマルチキャスト呼出の要求は受信されなかったので、Ｆ‐ＣＣＣＨのスロット１_ｐにおける通知は必要とされず、Ｆ‐ＣＣＣＨのスロット１_ｑに対応するＦ‐ＱＰＣＨのスロット１_ｑにおけるＢＩビットはＯＦＦに設定される。
【００５７】
別の実施例では、加入者局は空中インタフェース信号層（air interface signaling layer）より高いプロトコル層上のマルチキャスト呼出について通知される。当技術分野で知られているように、層化は他の分離処理実体、即ち、層の間で明確なカプセル化データ単位で通信プロトコルを組織化する方法である。プロトコル層は基地局１１０及び遠隔局１１６の両方において実施される。オープン・システム相互接続（ＯＳＩ）モデルに従って、プロトコル層Ｌ１は基地局と遠隔局との間の無線信号の送信及び受信を提供し、層Ｌ２は信号メッセージの正しい送信及び受信を提供し、層Ｌ３は通信システムのための制御メッセージを提供する。層Ｌ３は基地局１１０と遠隔局１１６との間の通信プロトコルの意味及びタイミングに従って信号メッセージを始め、そして終結させる。ｃｄｍａ２０００システムでは、空中インタフェース信号層Ｌ１は物理層と云われ、Ｌ２は回線アクセス制御（Link Access Control、ＬＡＣ）層または中間アクセス制御（Medium Access Control、ＭＡＣ）層と云われ、そしてＬ３は信号層（Signaling Layer）と云われる。信号層より上にはＯＳＩモデルに従ってＬ４〜Ｌ７と番号がつけられ、移送（Transportation）、セッション（Session）、提示（Presentation）及びアプリケーション（Application）層がある。
【００５８】
実施例に従って、リンク層セッション（link layer session）は現存の通信システム・インタフェースを使用して情報源と加入者局との間で確立される。そのようなリンク層プロトコルは、例えば、二点間プロトコル（point-to-point protocol、ＰＰＰ）、直列インターネット・プロトコル（Serial Line Internet Protocol、ＳＬＩＰ）を含めることができ、または当業者に既知の他のリンク層プロトコルが本発明の範囲から逸脱しないで利用される。リンク層プロトコルは当業者に既知の文書、例えば、ＩＳ‐７０７に述べられている。そして、マルチキャスト呼出通知メッセージはリンク層セッションのインターネット・プロトコル（ＩＰ）接続経由で送信される。図８は１つの実施例に従うメッセージ・フローの例を例示する。時間ｔ１で、セクタＳはマルチキャスト呼出が加入者局ＭＳ_１を含む群向けである指示ページ（ＭＳ_１）を情報源からパケット・サービス・データ節点（ＰＳＤＮ）経由で受信する。セクタＳはＰＰＰ（ＤＰ）を要求する呼出設定について加入者局ＭＳ_１向けのページ・レコードを生成する。要求された呼出は二点間形式の呼出であるから、ページ・レコードは各メンバー加入者局について個々のものである。ＩＳ‐７０７に従うと、そのようなサービス選択肢はＳＯ３３である。上で述べたように、サービス選択肢はページ・レコードの内容部分に含まれる。そして、セクタＳは適切なページ・メッセージ、例えば、ＧＰＭを生成し、時間ｔ２まで加入者局ＭＳ_１に割当てられたページング・スロットを待つ。時間ｔ２で、ページ・メッセージはＧＰＭ（ＤＰ：ＳＯ３３）の一部として伝送される。1 つの実施例において、加入者局 ＭＳ_1 は、時間ｔ３でＭＣＰの受信を認知する。図８に例示したように、ＩＳ‐２０００規格に従う通信システムにおいて、応答は逆方向チャネル、例えば、アクセス・チャネル上で変調されるページ応答メッセージ（ＰＲＭ（ＳＯ３３））を含む。時間ｔ４で、セクタＳはどちらのチャネルが使用すべきマルチキャスト呼出であるかの通知を送信する。ＩＳ‐２０００規格に従う通信システムにおいて、そのような通知は拡張チャネル割当メッセージ（extended channel assignment message、ＥＣＡＭ）で送信される。従って、ＳＯ３３呼出はＥＣＡＭによって割当てられたチャネル上で確立される。一旦、ＳＯ３３呼出が確立されると、元のＰＳＤＮと加入者局ＭＳ_１との間のＰＰＰは時間ｔ５で確立される。そして、ＭＳ_１はＰＰＰ上のマルチキャスト呼出開始を通知される。マルチキャスト群に属し、且つマルチキャスト呼出に関心を持つ残りの加入者局は前述の手続きに従う。（簡単にするためにわずか１つの追加の加入者局ＭＳ_２が示されている）。
【００５９】
別の実施例に従って、源からＧＲＯＵＰ_ＩＤによって識別された群へのマルチキャスト呼出通知を受信すると、そのセクタはリンク層プロトコルの確立を要求して、マルチキャスト呼出が向けられる群中の全ての加入者局にマルチキャスト・アドレス指定ページ・レコードを伝送する。上で述べたように、ＧＲＯＵＰ_ＩＤで識別された群に属する加入者局はページング・チャネル上で同じスロットを必ずしも割当てられるとは限らない。従って、マルチキャスト・アドレス指定ページを適切に伝送する上述のあらゆる解が適用できる。
【００６０】
一旦、群に属する加入者局がＰＲＭを送信することによってマルチキャスト・アドレス指定ページに応答すると、そのセクタは上述のような基地局とリンク層プロトコル、例えば、ＳＯ３３呼出を始動させ、加入者局がリンク層プロトコル上でマルチキャスト呼出開始にあることを通知する。リンク層プロトコル呼出は始動し、そしてその通知は各残りの加入者局について繰返される。加入者局から応答を受けると、アクセス網はマルチキャスト・アドレス指定ページを送信する際に個々の加入者局の同一性を必ずしも知ったわけではないが、それらの同一性は明らかにされたので、そのような個々のリンク層プロトコル始動が可能である。
【００６１】
マルチキャスト呼出開始の通知に対する応答
上で述べたように、マルチキャスト呼出が開始されるべきとき、マルチキャスト群のメンバーである加入者局は通知されなければならない。一旦、加入者局はマルチキャスト呼出が始まりつつある通知を受信すると、加入者局は通知に応答するかどうか、如何に応答するかについていくつかの選択肢がある。
【００６２】
１つの選択肢に従うと、加入者局はマルチキャスト・サービスへの参加にたとえ関心があるとしても、加入者局は応答する必要はない。例えば、そのような選択肢は、一般的な関心があり、例えば、株式市場情報更新、ストリーミング・ビデオ、及び同様の性質の他の情報など各加入者局へのその伝送が重要ではないマルチキャスト・サービスの場合に受入れ可能である。
【００６３】
別の選択肢に従うと、加入者局がマルチキャスト・サービスへの参加に関心があれば、加入者局は常に応答する必要がある。応答は、例えば、逆方向チャネル上でアクセス網に送信されるメッセージを含む。ＩＳ‐２０００規格に従う通信システムにおけるそのようなメッセージの例は逆方向アクセス・チャネル（reverse access channel、Ｒ‐ＡＣＨ）、逆方向強化アクセス・チャネル（reverse enhanced access channel、Ｒ‐ＥＡＣＨ）、及び逆方向共通制御チャネル（reverse common control channel、Ｒ‐ＣＣＣＨ）上で伝送されるページ応答メッセージ（Page Response Message）である。そのような応答はアクセス網によって取られる次の行動に関して有用な情報を含まなければならない。通信システムの設計特徴に応じて、そのような情報は加入者局がマルチキャスト・サービスに加わることに関心があるか、加入者局がマルチキャスト・サービスに加わることに関心がないか、加入者局は関心あるが、必要な構成、例えば、データ伝送率に対応しないために参加できないかを示している。
【００６４】
アクセス網はチャネル割当の前にメンバー加入者局からの応答を待つ。そのような選択肢は各加入者局が参加するかどうかを知るのにアクセス網を必要とするサービスに必要とされる。その上、その応答はアクセス網がマルチキャスト内容に共有チャネルまたは専用チャネルを割当てるかどうかを決定することを可能にする。専用チャネルを各加入者局に割当てるという決定が行われるとき、その応答はアクセス網が専用トラフィック・チャネルを参加しない加入者局に割当てることを妨げる。
【００６５】
上で説明したように、１つの実施例において、マルチキャスト群のメンバーである各加入者局はメンバー加入者局にアドレス指定された共通メッセージによって群向けのマルチキャスト呼出の開始を通知される。共通メッセージにおいて確認された群のメンバーではない加入者局は通知を受信したとき、加入者局は通知を無視して、応答しない。しかしながら、特別の（AdHoc）マルチキャスト群形成が支援されれば、通知を受信する全ての加入者局は応答する必要がある。用語「特別の（AdHoc）」マルチキャスト群は予定されないマルチキャスト群を意味することにここでは使用されるが、マルチキャスト呼出の開始の際に作成される。特別のマルチキャスト群形成が支援されるか否かに拘らず、共通メッセージ通知に対する応答の要求は通知を受信した加入者局から応答を引き出す。多数の加入者局は応答するので、群内の加入者局からの応答メッセージ、例えば、ページ応答メッセージを互い違いに置く方法は応答の突発（burst）から衝突を回避するために実施される。
【００６６】
別の選択肢に従うと、たとえ加入者局がマルチキャスト・サービスへの参加に関心がないとしても、加入者局は常に応答する必要がある。そのような選択肢は各加入者局が参加するか否かを確実に知るためアクセス網を必要とするサービスのために必要とされる。前の選択肢と異なり、現在の選択肢はアクセス網がマルチキャスト・サービスに対する関心がないために応答しない加入者局と、通知の受信失敗により応答しない加入者局とを確実に区別することを可能にする。このように、アクセス網は適切な行動を取り、例えば、通知を繰返す。前の選択肢に関して述べられた残りの考慮は適用可能である。
【００６７】
上述の選択肢が指導目的のみのために別々に扱われたことは当業者によって理解されるであろう。通信システムはマルチキャスト・サービスに適したあらゆる選択肢を使用するであろう。例えば、その伝送が各加入者局にとって重要でない、マルチキャスト呼出が始まるとき、応答がメンバー加入者局から要求されないかもしれない。同じメンバー加入者局が次のマルチキャスト呼出に参加する必要があるとき、応答が必要とされるかもしれない。応答がアクセス網によって必要とされるかどうか、どんな応答が必要とされるかの指示は加入者局に、例えば、通知メッセージに含まれる信号方式によって示すことができる。しかしながら、応答指示の他のあらゆる方法が熟考される。
【００６８】
マルチキャスト呼出開始のためのチャネル割当
上で指摘したように、通信システム１００は順方向回線チャネル１１４上で内容をメンバー加入者局に提供する。従って、順方向回線チャネルは、メンバー加入者局の間で共有されるか、或いは各メンバー加入者局と基地局との間で分配されるか否かに拘らず、マルチキャスト・サービスが始まる前に通信システム１００の実体によって割当てられなければならない。
【００６９】
上で述べたように、いくつかの通知の方法、いくつかの応答の方法、及びいくつかのチャネル割当の方法がある。従って、いくつかの可能な通知、応答、及びチャネル割当の組合せは下の実施例で示されるように可能である。
【００７０】
先に述べたように、一実施例では、メンバー加入者局は共通オーバヘッド・メッセージまたは共通ページ・メッセージを介してマルチキャスト・サービスを通知される。マルチキャスト・サービス通知は多数の加入者局に共通メッセージで同報され、個々の加入者局には同報されないので、共通メッセージを生成する実体はマルチキャスト群の個々のメンバー加入者局の同一性を知る必要がない。
【００７１】
メンバー加入者局は応答する必要がなければ、マルチキャスト・サービス・トラフィック・チャネルに関するチャネル割当情報、例えば、チャネル確認（ＩＳ‐２０００規格に従う通信システムの場合にはウォルシュ符号）、データ伝送率、及び当業者に既知の他の割当情報は通知の一部として含まれる。従って、共通オーバヘッド・メッセージ経由の通知の場合には、チャネル割当情報はオーバヘッド・メッセージの一部であろう。共通ページ・メッセージ経由の通知の場合には、チャネル割当情報はＭＣＰの一部である。チャネル割当情報がマルチキャストされ、且つ応答は必要とされないので、割当てられるチャネル形式は共有チャネルでなければならない。代りに、チャネル割当情報は通知から分離して加入者局に伝達される。
【００７２】
一旦、加入者局がメッセージを処理すると、関心のある加入者局はマルチキャスト・サービス・トラフィックを受信するために割当チャネルの監視を開始する。
【００７３】
上述の実施例に従うメッセージ・フローの例は図９に例示される。時間ｔ１で、セクタＳはマルチキャスト呼出が識別子ＧＲＯＵＰ_ＩＤｘを持つ群向けであるという指示ＧＲＯＵＰ_ＩＤｘを受信する。その指示は通信システムの別の実体、例えば、基地局制御器、ＰＳＴＮ、情報源（示されない）、他の実体によって提供される。代りに、セクタＳは加入者局ＭＳ_１及びＭＳ_２の同一性を受信する。そして、セクタＳは加入者局ＭＳ_１及びＭＳ_２を含むマルチキャスト群の識別子ＧＲＯＵＰ_ＩＤｘを、例えば、データベースを照会することによって判定する。先に述べたように、情報源は、例えば、サーバ、別の加入者局、または当業者には既知の他の源を含む。
【００７４】
セクタＳは一実施例において同報システム・パラメータ・メッセージＢＳＰＭを含むオーバヘッド・メッセージに識別子及びチャネル割当情報を含める。セクタＳはＢＳＰＭ（ＧＲＯＵＰ_ＩＤｘ、チャネル割当情報）を時間ｔ２ｏで同報する。識別子を持つ群のメンバーである加入者局ＭＳ_１及びＭＳ_２はＢＳＰＭ（ＧＲＯＵＰ_ＩＤｘ、チャネル割当情報）を受信し、ＢＳＰＭを処理し、時間ｔ３で適切な行動を取り、例えば、識別されたマルチキャスト呼出が伝送されつつある物理チャネルに合わせ、且つ監視を開始する。時間ｔ４で、マルチキャスト・サービスの内容はトラフィック・チャネル（Ｇｒｏｕｐ_ＩＤｘに関するトラフィック）上で伝送開始される。前に述べたように、オーバヘッド・メッセージＢＳＴＭは定期的にそれ自身を繰返し、従って、識別子及びチャネル割当情報が各メッセージに含まれていれば、同様に、識別子及びチャネル割当情報がオーバヘッド・メッセージＢＳＴＭの次の場合において伝送されるであろう。時間ｔ２ｏでわずか１つの場合が示されている。
【００７５】
代わりに、セクタＳは識別子及びチャネル割当情報をページ・メッセージ、例えば、一般的なページ・メッセージ（ＧＰＭ）に含める。セクタＳは上述の実施例のいずれかを使用してメンバー加入者局によって監視されるページング・チャネル上のスロットを判定する。そして、そのセクタはスロット中のＧＰＭ（ＭＣＰ：ＧＲＯＵＰ_ＩＤｘ、チャネル割当情報）を時間ｔ２ｐで伝送する。識別子を持つ群のメンバーである加入者局ＭＳ_１及びＭＳ_２はＧＰＭ（ＭＣＰ：ＧＲＯＵＰ_ＩＤｘ、チャネル割当情報）を受信し、ＧＰＭを処理し、時間ｔ３で適切な行動を取り、例えば、識別されたマルチキャスト呼出が伝送されつつある物理チャネルに合わせ、且つ監視を開始する。時間ｔ４で、マルチキャスト・サービスの内容はトラフィック・チャネル（Ｇｒｏｕｐ_ＩＤｘに関するトラフィック）上で伝送開始される。
【００７６】
メンバー加入者局がチャネル割当の前に応答することを要求されれば、共通メッセージ中のマルチキャスト・サービス通知を受信する際、関心ある加入者局は応答を送信する。そのような応答は、例えば、信号メッセージ（新しい形式のメッセージ、例えば、共通オーバヘッド・メッセージに対する応答としてのマルチキャスト・サービス参加メッセージまたは共通ページ・メッセージに対する応答としてのページ応答メッセージ）を含み、マルチキャスト・サービスへ参加する関心のある加入者局の要求を示す。
【００７７】
応答を受信する際、チャネル割当を受持つアクセス網の実体は割当てるチャネルの形式の決定において応答の数を考慮する。一実施例において、アクセス網は応答の数を閾値と比較し、比較の結果に従ってチャネルの形式を割当てる。その実体が共有チャネルを割当てることを決定すれば、アクセス網は共有マルチキャスト・サービス・トラフィック・チャネルに関する情報を含む共通チャネル割当メッセージ、例えば、マルチキャスト・チャネル割当メッセージ（Multicast Channel Assignment Message、ＭＣＡＭ）を送信する。このように、ＭＣＡＭは共有チャネルを関心のある加入者局に割当てるためにマルチキャスト・アドレスを使用する。
【００７８】
上で説明したように、ＧＲＯＵＰ_ＩＤによって識別された群に属する加入者局はページング・チャネル上で同じスロットを必ずしも割当られるとは限らない。従って、マルチキャスト呼出開始情報を伝送する効率的な方法を可能にする方法が必要とされる。
【００７９】
一実施例では、通知を受信すると、加入者局は非スロット化モードにおいてページング・チャネルを監視する必要がある、従って、ＭＣＡＭは任意のページング・チャネル・スロットにおいて送信される。
【００８０】
別の実施例では、ＭＣＡＭはマルチキャスト・アドレス指定された通知を送信するスロットを決定するために使用される同じ方法を使用してスロット上で送信される。
【００８１】
別の実施例では、共通オーバヘッド・メッセージまたは共通ページ・メッセージは加入者局がＭＣＡＭを監視するために要求されるページング・チャネル・スロット番号を指示する。
【００８２】
別の実施例では、ＭＣＡＭは加入者局によって監視される各々のスロット上で送信される。
【００８３】
前述の実施例は別々に指導目的のみのために扱われたことが当業者によって理解されるであろう。通信システムはマルチキャスト・サービスに適した実施例を使用するであろう。実施例の選択は、例えば、通知において指定される。
【００８４】
一旦、加入者局はメッセージを処理すると、関心のある加入者局はマルチキャスト・サービス・トラフィックを受信するために割当てられたチャネルの監視を開始する。
【００８５】
上述の実施例に従うメッセージ・フローの例は図１０に例示される。時間ｔ１で、セクタＳはマルチキャスト呼出が識別子ＧＲＯＵＰ_ＩＤｘを持つ群向けであるとの指示ＧＲＯＵＰ_ＩＤｘを受信する。その指示は通信システムの別の実体、例えば、基地局制御器、ＰＳＴＮ、情報源（示されない）、他の実体によって提供される。代りに、セクタＳは加入者局ＭＳ_１及びＭＳ_２の同一性を受信する。そして、セクタＳは加入者局ＭＳ_１及びＭＳ_２を含むマルチキャスト群の識別子ＧＲＯＵＰ_ＩＤｘを、例えば、データベースを照会することによって決定する。前に述べたように、情報源は、例えば、サーバ、別の加入者局、または当業者に既知の他の源を含む。
【００８６】
セクタＳは一実施例において同報システム・パラメータ・メッセージＢＳＰＭを含むオーバヘッド・メッセージに識別子を含める。セクタＳは時間ｔ２ｏでＢＳＰＭ（ＧＲＯＵＰ_ＩＤｘ）を同報する。識別子を持つ群のメンバーである加入者局ＭＳ_１及びＭＳ_２はＢＳＰＭ（ＧＲＯＵＰ_ＩＤｘ）を受信し、ＢＳＰＭを処理し、そして適切な行動を取り、例えば、応答メッセージを送信する。前に述べたように、オーバヘッド・メッセージはそれ自身定期的に繰返し、従って、識別子が各メッセージに含まれていれば、その識別子はオーバヘッド・メッセージの次の場合に送信されるであろう。時間ｔ２ｏでわずか１つの場合が示されている。
【００８７】
代わりに、セクタＳはページ・メッセージ、例えば、一般のページ・メッセージ（ＧＰＭ）に識別子を含める。そして、セクタＳはメンバー加入者局によって監視されるページング・チャネル上のスロットを決定し、スロット中のＧＰＭ（ＭＣＰ：ＧＲＯＵＰ_ＩＤｘ）を時間ｔ２ｐで送信する。識別子を持つ群のメンバーである加入者局ＭＳ_１及びＭＳ_２はＧＰＭ（ＭＣＰ：ＧＲＯＵＰ_ＩＤｘ）を受信し、ＧＰＭを処理し、そして適切な行動を取り、例えば、応答メッセージを送信する。
【００８８】
どんな共通メッセージが通知のために使用されたかに拘わらず、加入者局ＭＳ_１及びＭＳ_２は応答を時間ｔ３、ｔ４で各々送信する。応答を受信すると、チャネル割当を受持つアクセス網の実体は共有チャネルを割当てることを決定する。セクタＳは共通チャネル割当メッセージ、例えば、ＭＣＡＭを送信する方法を決定し、共有マルチキャスト・サービス・トラフィック・チャネルＭＣＡＭに関する情報（チャネル割当情報）を含むＭＣＡＭを時間ｔ５で送信する。加入者局ＭＳ_１及びＭＳ_２はＭＣＡＭを処理し、そして適切な行動を取り、例えば、識別されたマルチキャスト呼出が時間ｔ６で伝送されつつある物理チャネルに合わせ、且つ監視を開始する。時間ｔ７で、マルチキャスト・サービスの内容はトラフィック・チャネル（Ｇｒｏｕｐ_ＩＤｘに関するトラフィック）上で伝送開始される。
【００８９】
別の実施例では、実体が共有チャネルを割当てることを決定すれば、アクセス網は共有マルチキャスト・サービス・トラフィック・チャネルに関する情報を含む個々のチャネル割当メッセージ（Individual Channel Assignment Message、ＩＣＡＭ）を応答する各メンバー加入者局へ送信する。ＩＳ‐２０００規格に従う通信システムの文脈において、ＩＣＡＭは、例えば、拡張チャネル割当メッセージを含む。
【００９０】
アクセス網は通知を送信したとき個々の加入者局の同一性を必ずしも知らなかったが、加入者局から応答を受信したとき同一性が明らかにされたので、そのような個々の割当が可能である。
【００９１】
共有マルチキャスト・サービス・トラフィック・チャネルは二点間呼出と同様に個々に割当てられるので、二点間トラフィック・チャネル割当について既知のあらゆる方法が使用できることは注目される。従って、アクセス網は関心のある加入者局の各々がページング・チャネルを監視しているときを知っているので、各加入者局についていつＩＣＡＭを送信するかの課題は存在しない。
【００９２】
実施例に従うメッセージ・フローの例は図１１に例示される。時間ｔ１で、セクタＳはマルチキャスト呼出が識別子ＧＲＯＵＰ_ＩＤｘを持つ群向けであるとの指示ＧＲＯＵＰ_ＩＤｘを受信する。その指示は通信システムの別の実体、例えば、基地局制御器、ＰＳＴＮ、情報源（示されない）、他の実体によって提供される。代りに、セクタＳは加入者局ＭＳ_１及びＭＳ_２の同一性を受信する。そして、セクタＳは加入者局ＭＳ_１及びＭＳ_２を含むマルチキャスト群の識別子ＧＲＯＵＰ_ＩＤｘを、例えば、データベースを照会することによって決定する。前に述べたように、情報源は、例えば、サーバ、別の加入者局、または当業者に既知の他の源を含む。
【００９３】
セクタＳは一実施例において同報システム・パラメータ・メッセージＢＳＰＭを含むオーバヘッド・メッセージに識別子を含める。セクタＳは時間ｔ２ｏでＢＳＰＭ（ＧＲＯＵＰ_ＩＤｘ）を同報する。識別子を持つ群のメンバーである加入者局ＭＳ_１及びＭＳ_２はＢＳＰＭ（ＧＲＯＵＰ_ＩＤｘ）を受信し、ＢＳＰＭを処理し、そして適切な行動を取り、例えば、応答メッセージを送信する。前に述べたように、オーバヘッド・メッセージはそれ自身定期的に繰返し、従って、識別子が各メッセージに含まれていれば、その識別子はオーバヘッド・メッセージの次の場合に送信されるであろう。時間ｔ２ｏでわずか１つの場合が示されている。
【００９４】
代わりに、セクタＳはページ・メッセージ、例えば、一般のページ・メッセージ（ＧＰＭ）に識別子を含める。そして、セクタＳはメンバー加入者局によって監視されるページング・チャネル上のスロットを決定し、スロット中のＧＰＭ（ＭＣＰ：ＧＲＯＵＰ_ＩＤｘ）を時間ｔ２ｐで送信する。識別子を持つ群のメンバーである加入者局ＭＳ_１及びＭＳ_２はＧＰＭ（ＭＣＰ：ＧＲＯＵＰ_ＩＤｘ）を受信し、ＧＰＭを処理し、そして適切な行動を取り、例えば、応答メッセージを送信する。
【００９５】
どんな共通メッセージが通知のために使用されたかに拘わらず、加入者局ＭＳ_１及びＭＳ_２は応答を時間ｔ３、ｔ４で各々送信する。応答を受信すると、チャネル割当を受持つアクセス網の実体は専用チャネルを割当てることを決定する。セクタＳは受信された応答から加入者局ＭＳ_１及びＭＳ_２の同一性を知っているので、セクタＳは加入者局ＭＳ_１及びＭＳ_２が応答に従ってページング・チャネルを監視しているであろうスロットを決定する。セクタＳは加入者局ＭＳ_１によって監視されたページング・スロットを時間ｔ５まで待ち、個々のＩＣＡＭ（チャネル割当情報）を加入者局ＭＳ_１へ伝達する。同様に、セクタＳは加入者局ＭＳ_２によって監視されたページング・スロットを時間ｔ６まで待ち、個々のＩＣＡＭ（チャネル割当情報）を加入者局ＭＳ_２へ伝達する。加入者局ＭＳ_１及びＭＳ_２はＩＣＡＭを処理し、そして適切な行動を取り、例えば、識別されたマルチキャスト呼出が時間ｔ５、ｔ６で各々伝送されつつある物理チャネルに合わせ、且つ監視を開始する。時間ｔ７で、マルチキャスト・サービスの内容はトラフィック・チャネル（ＧＲＯＵＰ_ＩＤｘに関するトラフィック）上で伝送開始される。
【００９６】
別の実施例では、実体が応答している各メンバー加入者局について専用チャネルを割当てることを決定すれば、アクセス網は専用マルチキャスト・サービス・トラフィック・チャネルに関する情報を含む個々のチャネル割当メッセージを応答している各メンバー加入者局に送信する。
【００９７】
アクセス網は通知を送信したとき個々の加入者局の同一性を必ずしも知らなかったが、加入者局から応答を受信したとき同一性が明らかにされたので、そのような個々の割当が可能である。
【００９８】
マルチキャスト・サービス・トラフィック・チャネルは二点間呼出におけると同様に個々に割当られるので、二点間トラフィック・チャネル割当について既知のあらゆる方法を使用することができる。特に、アクセス網は関心のある加入者局の各々がページング・チャネルを監視しているであろうときを知っている。
【００９９】
上述の実施例に従うメッセージ・フローの例は図１２に例示される。時間ｔ１で、セクタＳはマルチキャスト呼出が識別子ＧＲＯＵＰ_ＩＤｘを持つ群向けであるとの指示ＧＲＯＵＰ_ＩＤｘを受信する。その指示は通信システムの別の実体、例えば、基地局制御器、ＰＳＴＮ、情報源（示されない）、他の実体によって提供される。代りに、セクタＳは加入者局ＭＳ_１及びＭＳ_２の同一性を受信する。そして、セクタＳは加入者局ＭＳ_１及びＭＳ_２を含むマルチキャスト群の識別子ＧＲＯＵＰ_ＩＤｘを、例えば、データベースを照会することによって決定する。前に述べたように、情報源は、例えば、サーバ、別の加入者局、または当業者に既知の他の源を含む。
【０１００】
セクタＳは一実施例において同報システム・パラメータ・メッセージＢＳＰＭを含むオーバヘッド・メッセージに識別子を含める。セクタＳは時間ｔ２ｏでＢＳＰＭ（ＧＲＯＵＰ_ＩＤｘ）を同報する。識別子を持つ群のメンバーである加入者局ＭＳ_１及びＭＳ_２はＢＳＰＭ（ＧＲＯＵＰ_ＩＤｘ）を受信し、ＢＳＰＭを処理し、そして適切な行動を取り、例えば、応答メッセージを送信する。前に述べたように、オーバヘッド・メッセージはそれ自身定期的に繰返し、従って、識別子が各メッセージに含まれていれば、その識別子はオーバヘッド・メッセージの次の場合に送信されるであろう。時間ｔ２ｏでわずか１つの場合が示されている。
【０１０１】
代わりに、セクタＳはページ・メッセージ、例えば、一般のページ・メッセージ（ＧＰＭ）に識別子を含める。そして、セクタＳはメンバー加入者局によって監視されるページング・チャネル上のスロットを決定し、スロット中のＧＰＭ（ＭＣＰ：ＧＲＯＵＰ_ＩＤｘ）を時間ｔ２ｐで送信する。識別子を持つ群のメンバーである加入者局ＭＳ_１及びＭＳ_２はＧＰＭ（ＭＣＰ：ＧＲＯＵＰ_ＩＤｘ）を受信し、ＧＰＭを処理し、そして適切な行動を取り、例えば、応答メッセージを送信する。
【０１０２】
どんな共通メッセージが通知のために使用されたかに拘わらず、加入者局ＭＳ_１及びＭＳ_２は応答を時間ｔ３、ｔ４で各々送信する。応答を受信すると、チャネル割当を受持つアクセス網の実体は専用チャネルを割当てることを決定する。セクタＳは受信された応答から加入者局ＭＳ_１及びＭＳ_２の同一性を知っているので、セクタＳは加入者局ＭＳ_１及びＭＳ_２が応答に従ってページング・チャネルを監視しているであろうスロットを決定する。
【０１０３】
セクタＳは加入者局ＭＳ_１によって監視されたページング・スロットを時間ｔ５まで待ち、個々のＩＣＡＭ（チャネル割当情報）を加入者局ＭＳ_１へ伝達する。加入者局ＭＳ_１はＩＣＡＭを処理し、そして適切な行動を取り、例えば、識別されたマルチキャスト呼出が時間ｔ５で伝送されつつある物理チャネルに合わせ、且つ監視を開始する。
【０１０４】
同様に、セクタＳは加入者局ＭＳ_２によって監視されたページング・スロットを時間ｔ６まで待ち、個々のＩＣＡＭ（チャネル割当情報）を加入者局ＭＳ_２へ伝達する。加入者局ＭＳ_２はＩＣＡＭを処理し、そして適切な行動を取り、例えば、識別されたマルチキャスト呼出が時間ｔ６で伝送されつつある物理チャネルに合わせ、且つ監視を開始する。
【０１０５】
時間ｔ７で、マルチキャスト・サービスの内容は専用トラフィック・チャネル（ＧＲＯＵＰ_ＩＤｘに関するトラフィック）上で伝送開始される。
【０１０６】
別の実施例では、実体が応答している各メンバー加入者局について専用チャネルを割当てることを決定すれば、アクセス網は個々のマルチキャスト・サービス・トラフィック・チャネルの各々に関する情報を含む共通チャネル割当メッセージ、マルチキャスト・チャネル割当メッセージ（Multicast Channel Assignment Message、ＭＣＡＭ）を送信する。このように、マルチキャスト・アドレスを利用するＭＣＡＭは関心がある各加入者局に専用マルチキャスト・サービス・トラフィック・チャネルを割当てる。
【０１０７】
上で説明したように、ＧＲＯＵＰ_ＩＤによって識別された群に属する加入者局はページング・チャネル上の同じスロットを必ずしも割当られるとは限らない。従って、マルチキャスト呼出開始情報を伝送する効率的な方法を可能にする方法が必要とされる。
【０１０８】
一実施例では、通知を受信すると、加入者局は非スロット化モードにおいてページング・チャネルを監視する必要がある、従って、ＭＣＡＭはあるページング・チャネル・スロットにおいて送信される。
【０１０９】
別の実施例では、ＭＣＡＭはマルチキャスト・アドレス指定された通知を送信するスロットを決定するために使用される同じ方法を使用してスロット上で送信される。
【０１１０】
別の実施例では、共通オーバヘッド・メッセージまたは共通ページ・メッセージは加入者局がＭＣＡＭを監視するために要求されるページング・チャネル・スロット番号を指示する。
【０１１１】
別の実施例では、ＭＣＡＭは加入者局によって監視される各々のスロット上で送信される。
【０１１２】
前述の実施例は別々に指導目的のみのために扱われたことが当業者によって理解されるであろう。通信システムはマルチキャスト・サービスに適した実施例を使用するであろう。実施例の選択は、例えば、通知において指定される。
【０１１３】
一旦、加入者局はメッセージを処理すると、関心のある加入者局はマルチキャスト・サービス・トラフィックを受信するために割当てられたチャネルの監視を開始する。
【０１１４】
上述の実施例に従うメッセージ・フローの例は図１３に例示される。時間ｔ１で、セクタＳはマルチキャスト呼出が識別子ＧＲＯＵＰ_ＩＤｘを持つ群向けであるとの指示ＧＲＯＵＰ_ＩＤｘを受信する。その指示は通信システムの別の実体、例えば、基地局制御器、ＰＳＴＮ、情報源（示されない）、他の実体によって提供される。代りに、セクタＳは加入者局ＭＳ_１及びＭＳ_２の同一性を受信する。そして、セクタＳは加入者局ＭＳ_１及びＭＳ_２を含むマルチキャスト群の識別子ＧＲＯＵＰ_ＩＤｘを、例えば、データベースを照会することによって決定する。前に述べたように、情報源は、例えば、サーバ、別の加入者局、または当業者に既知の他の源を含む。
【０１１５】
セクタＳは一実施例において同報システム・パラメータ・メッセージＢＳＰＭを含むオーバヘッド・メッセージに識別子を含める。セクタＳは時間ｔ２ｏでＢＳＰＭ（ＧＲＯＵＰ_ＩＤｘ）を同報する。識別子を持つ群のメンバーである加入者局ＭＳ_１及びＭＳ_２はＢＳＰＭ（ＧＲＯＵＰ_ＩＤｘ）を受信し、ＢＳＰＭを処理し、そして適切な行動を取り、例えば、応答メッセージを送信する。前に述べたように、オーバヘッド・メッセージはそれ自身定期的に繰返し、従って、識別子が各メッセージに含まれていれば、その識別子はオーバヘッド・メッセージの次の場合に送信されるであろう。時間ｔ２ｏでわずか１つの場合が示されている。
【０１１６】
代わりに、セクタＳはページ・メッセージ、例えば、一般のページ・メッセージ（ＧＰＭ）に識別子を含める。そして、セクタＳはメンバー加入者局によって監視されるページング・チャネル上のスロットを決定し、スロット中のＧＰＭ（ＭＣＰ：ＧＲＯＵＰ_ＩＤｘ）を時間ｔ２ｐで送信する。識別子を持つ群のメンバーである加入者局ＭＳ_１及びＭＳ_２はＧＰＭ（ＭＣＰ：ＧＲＯＵＰ_ＩＤｘ）を受信し、ＧＰＭを処理し、そして適切な行動を取り、例えば、応答メッセージを送信する。
【０１１７】
どんな共通メッセージが通知のために使用されたかに拘わらず、加入者局ＭＳ_１及びＭＳ_２は応答を時間ｔ３、ｔ４で各々送信する。応答を受信すると、チャネル割当を受持つアクセス網の実体は専用チャネルを割当てることを決定する。セクタＳは共通チャネル割当メッセージ、例えば、ＭＣＡＭを送信する方法を決定し、専用マルチキャスト・サービス・トラフィック・チャネルＭＣＡＭに関する情報（チャネル割当情報）を含むＭＣＡＭを時間ｔ５で送信する。
【０１１８】
加入者局ＭＳ_１はＭＣＡＭを処理し、そして適切な行動を取り、例えば、識別されたマルチキャスト呼出が時間ｔ６で伝送されつつある物理チャネルに合わせ、且つ監視を開始する。
【０１１９】
同様に、加入者局ＭＳ_２はＭＣＡＭを処理し、そして適切な行動を取り、例えば、識別されたマルチキャスト呼出が時間ｔ６で伝送されつつある物理チャネルに合わせ、且つ監視を開始する。
【０１２０】
時間ｔ７で、マルチキャスト・サービスの内容は専用トラフィック・チャネル（ＧＲＯＵＰ_ＩＤｘに関するトラフィック）上で伝送開始される。
【０１２１】
一実施例では、各メンバー加入者局は個々のページ・メッセージを介してマルチキャスト・サービスについて通知される。マルチキャスト・サービス通知は多数の加入者局に多数の個々のページ・メッセージを介して伝送されるので、個々のページ・メッセージを生成する実体は個々のメンバー加入者局の同一性を知る必要がある。
【０１２２】
メンバー加入者局は応答する必要がなければ、マルチキャスト・サービス・トラフィック・チャネルに関するチャネル割当情報、例えば、チャネル確認（ＩＳ‐２０００規格に従う通信システムの場合にはウォルシュ符号）、データ伝送率、及び当業者に既知の他の割当情報は通知の一部として含まれる。従って、個々のページ・メッセージ経由の通知の場合にはチャネル割当情報は個々のページ・メッセージの一部であろう。チャネル割当情報は個々のページ・メッセージにおいて提供されるので、割当てられたチャネルの形式は共有チャネル及び専用チャネルの両方である。
【０１２３】
メンバー加入者局はマルチキャスト・サービス通知に応答する必要がないので、個々のページメッセージを生成する実体が専用チャネルを各メンバー加入者局に割当てることを決定する場合には、実体はマルチキャストに参加することに関心がないメンバー加入者局に専用資源を配分しつつある。従って、専用チャネルを割当てられたメンバー加入者局はマルチキャスト・サービスに参加することに関心があるかどうかを決定することが望ましく、そのため不参加メンバー加入者局のための専用チャネルは返還要求され、他のサービス、例えば、通常の二点間呼出に再使用される。一実施例では、アクセス網は、専用チャネルが割当てられ、且つマルチキャスト・サービスが始まった後、メンバー加入者局が割当てられた逆方向回線チャネル上で稼働しているかどうかを判定する。
【０１２４】
一旦、加入者局がメッセージを処理すると、関心のある加入者局はマルチキャスト・サービス・トラフィックを受信するために割当てられたチャネルの監視を開始する。
【０１２５】
上述の実施例に従う共有チャネルが割当てられるメッセージ・フローの例は図１４に例示される。時間ｔ１で、セクタＳはマルチキャスト呼出が開始するための識別子ＧＲＯＵＰ_ＩＤｘを持つ群を含む加入者局ＭＳ_１及びＭＳ_２の同一性ＧＲＯＵＰ_ＩＤｘを受信する。代りに、セクタＳは群識別子ＧＲＯＵＰ_ＩＤｘを受信する。情報は通信システムの別の実体、例えば、基地局制御器、ＰＳＴＮ、情報源（示されない）、他の実体によって提供される。そして、セクタＳは加入者局ＭＳ_１及びＭＳ_２の同一性を、例えば、データベースを照会することによって決定する。そして、セクタＳは識別子ＧＲＯＵＰ_ＩＤｘ及び各加入者局ＭＳ_１及びＭＳ_２に関するチャネル割当情報を含む個々のＭＣＰを作成し、ＭＣＰをページ・メッセージ、例えば、一般的なページ・メッセージ（ＧＰＭ）に含める。
【０１２６】
そして、セクタＳはメンバー加入者局ＭＳ_１及びＭＳ_２によって監視されるページング・チャネル上のスロットを決定する。時間ｔ２で、メンバー加入者局ＭＳ_１によって監視されたスロットにおいて、セクタＳはＧＰＭ（ＭＣＰ：ＧＲＯＵＰ_ＩＤｘ、チャネル割当情報）を伝送する。加入者局ＭＳ_１はＧＰＭ（ＭＣＰ：ＧＲＯＵＰ_ＩＤｘ、チャネル割当情報）を受信し、ＧＰＭを処理し、そして適切な行動を取り、例えば、識別されたマルチキャスト呼出が伝送されつつある物理チャネルに合わせ、且つ監視を開始する。
【０１２７】
時間ｔ３で、メンバー加入者局ＭＳ_２によって監視されたスロットにおいて、セクタＳはＧＰＭ（ＭＣＰ：ＧＲＯＵＰ_ＩＤｘ、チャネル割当情報）を伝送する。加入者局ＭＳ_２はＧＰＭ（ＭＣＰ：ＧＲＯＵＰ_ＩＤｘ、チャネル割当情報）を受信し、ＧＰＭを処理し、そして適切な行動を取り、例えば、識別されたマルチキャスト呼出が伝送されつつある物理チャネルに合わせ、且つ監視を開始する。
【０１２８】
時間ｔ４で、マルチキャスト・サービスの内容は共有トラフィック・チャネル（ＧＲＯＵＰ_ＩＤｘに関するトラフィック）上で伝送開始される。
【０１２９】
専用チャネルが割当てられる上述の実施例に従うメッセージ・フローの例は図１５に例示される。時間ｔ１で、セクタＳはマルチキャスト呼出が開始するための識別子ＧＲＯＵＰ_ＩＤｘを持つ群を含む加入者局ＭＳ_１及びＭＳ_２の同一性ＧＲＯＵＰ_ＩＤｘを受信する。代りに、セクタＳは群識別子ＧＲＯＵＰ_ＩＤｘを受信する。情報は通信システムの別の実体、例えば、基地局制御器、ＰＳＴＮ、情報源（示されない）、他の実体によって提供される。そして、セクタＳは加入者局ＭＳ_１及びＭＳ_２の同一性を、例えば、データベースを照会することによって決定する。そして、セクタＳは識別子ＧＲＯＵＰ_ＩＤｘ及び各加入者局ＭＳ_１及びＭＳ_２に関するチャネル割当情報を含む個々のＭＣＰを作成し、ＭＣＰをページ・メッセージ、例えば、一般的なページ・メッセージ（ＧＰＭ）に含める。
【０１３０】
そして、セクタＳはメンバー加入者局ＭＳ_１及びＭＳ_２によって監視されるページング・チャネル上のスロットを決定する。時間ｔ２で、メンバー加入者局ＭＳ_１によって監視されたスロットにおいて、セクタＳはＧＰＭ（ＭＣＰ：ＧＲＯＵＰ_ＩＤｘ、ＭＳ_１に関するチャネル割当情報）を伝送する。加入者局ＭＳ_１はＧＰＭ（ＭＣＰ：ＧＲＯＵＰ_ＩＤｘ、ＭＳ_１に関するチャネル割当情報）を受信し、ＧＰＭを処理し、そして適切な行動を取り、例えば、加入者局ＭＳ_１について識別されたマルチキャスト呼出が時間ｔ３で伝送されつつある（ＭＳ_１に関するトラフィック）物理チャネルに合わせ、且つ監視を開始する。
【０１３１】
時間ｔ４で、メンバー加入者局ＭＳ_２によって監視されたスロットにおいて、セクタＳはＧＰＭ（ＭＣＰ：ＧＲＯＵＰ_ＩＤｘ、ＭＳ_２に関するチャネル割当情報）を伝送する。加入者局ＭＳ_２はＧＰＭ（ＭＣＰ：ＧＲＯＵＰ_ＩＤｘ、ＭＳ_１に関するチャネル割当情報）を受信し、ＧＰＭを処理し、そして適切な行動を取り、例えば、加入者局ＭＳ_２について識別されたマルチキャスト呼出が時間ｔ５で伝送されつつある（ＭＳ_２に関するトラフィック）物理チャネルに合わせ、且つ監視を開始する。
【０１３２】
メンバー加入者局がチャネル割当の前に応答する必要があれば、個々のページ・メッセージにおいてマルチキャスト・サービス通知を受信すると、関心のある加入者局はマルチキャスト・サービスに参加するという関心のある加入者局の要求を示す応答、例えば、ページ応答メッセージのような信号メッセージを送信する。
【０１３３】
応答を受信すると、チャネル割当を受持つアクセス網の実体は割当てるチャネルの形式を決定する際応答の数を考慮する。一実施例では、アクセス網は応答の数を閾値と比較し、比較の結果に従ってチャネルの形式を割当てる。実体が共有チャネルを割当てることを決定すれば、アクセス網は共有マルチキャスト・サービス・トラフィック・チャネルに関する情報を含む共通チャネル割当メッセージ、例えば、マルチキャスト・チャネル割当メッセージ（Multicast Channel Assignment Message、ＭＣＡＭ）を送信する。このように、ＭＣＡＭは共有チャネルを関心のある加入者局に割当てるためにマルチキャスト・アドレスを使用する。
【０１３４】
上で説明したように、ＧＲＯＵＰ_ＩＤによって識別された群に属する加入者局はページング・チャネル上の同じスロットを必ずしも割当てられるとは限らない。従って、マルチキャスト呼出開始情報を伝送する効率的な方法を可能にする方法が必要とされる。
【０１３５】
一実施例では、通知を受け取ると、加入者局は非スロット化モードにおいてページング・チャネルを監視する必要がある、従って、ＭＣＡＭはあるページング・チャネル・スロットにおいて送信される。
【０１３６】
別の実施例では、ＭＣＡＭはマルチキャスト・アドレス指定された通知を送信するスロットを決定するために使用される同じ方法を使用してスロット上で送信される。
【０１３７】
別の実施例では、共通オーバヘッド・メッセージまたは共通ページ・メッセージは加入者局がＭＣＡＭを監視するために要求されるページング・チャネル・スロット番号を指示する。
【０１３８】
別の実施例では、ＭＣＡＭは加入者局によって監視される各々のスロット上で送信される。
【０１３９】
前述の実施例は別々に指導目的のみのために扱われたことが当業者によって理解されるであろう。通信システムはマルチキャスト・サービスに適した実施例を使用するであろう。実施例の選択は、例えば、通知において指定される。
【０１４０】
一旦、加入者局はメッセージを処理すると、関心のある加入者局はマルチキャスト・サービス・トラフィックを受信するために割当てられたチャネルの監視を開始する。
【０１４１】
上述の実施例に従うメッセージ・フローの例は図１６に例示される。時間ｔ１で、セクタＳはマルチキャスト呼出が開始するための識別子ＧＲＯＵＰ_ＩＤｘを持つ群を含む加入者局ＭＳ_１及びＭＳ_２の同一性ＧＲＯＵＰ_ＩＤｘを受信する。代りに、セクタＳは群識別子ＧＲＯＵＰ_ＩＤｘを受信する。情報は通信システムの別の実体、例えば、基地局制御器、ＰＳＴＮ、情報源（示されない）、他の実体によって提供される。そして、セクタＳは加入者局ＭＳ_１及びＭＳ_２の同一性を、例えば、データベースを照会することによって決定する。そして、セクタＳは識別子ＧＲＯＵＰ_ＩＤｘ及び各加入者局ＭＳ_１及びＭＳ_２に関するチャネル割当情報を含む個々のＭＣＰを作成し、ＭＣＰをページ・メッセージ、例えば、一般的なページ・メッセージ（ＧＰＭ）に含める。
【０１４２】
そして、セクタＳはメンバー加入者局ＭＳ_１及びＭＳ_２によって監視されるページング・チャネル上のスロットを決定する。時間ｔ２で、メンバー加入者局ＭＳ_１によって監視されたスロットにおいて、セクタＳはＧＰＭ（ＭＣＰ：ＧＲＯＵＰ_ＩＤｘ）を伝送する。加入者局ＭＳ_１はＧＰＭ（ＭＣＰ：ＧＲＯＵＰ_ＩＤｘ）を受信し、応答を時間ｔ３で送信する。
【０１４３】
時間ｔ４で、メンバー加入者局ＭＳ_２によって監視されたスロットにおいて、セクタＳはＧＰＭ（ＭＣＰ：ＧＲＯＵＰ_ＩＤｘ）を伝送する。加入者局ＭＳ_２はＧＰＭ（ＭＣＰ：ＧＲＯＵＰ_ＩＤｘ）を受信し、応答を時間ｔ５で送信する。
【０１４４】
応答を受信すると、チャネル割当を受持つアクセス網の実体は共有チャネルを割当てることを決定する。セクタＳは加入者局ＭＳ_１によって監視されたページング・スロットを時間ｔ６まで待ち、個々のＭＣＡＭ（チャネル割当情報）を加入者局ＭＳ_１へ伝達する。加入者局ＭＳ_１はＭＣＡＭを処理し、そして適切な行動をとり、例えば、識別されたマルチキャスト呼出が伝送されつつある物理チャネルに合わせ、且つ監視を始める。
【０１４５】
同様に、セクタＳは加入者局ＭＳ_２によって監視されたページング・スロットを時間ｔ７まで待ち、個々のＭＣＡＭ（チャネル割当情報）を加入者局ＭＳ_２へ伝達する。加入者局ＭＳ_２はＭＣＡＭを処理し、そして適切な行動をとり、例えば、識別されたマルチキャスト呼出が伝送されつつある物理チャネルに合わせ、且つ監視を始める。
【０１４６】
時間ｔ８で、マルチキャスト・サービスの内容はトラフィック・チャネル（ＧＲＯＵＰ_ＩＤｘに関するトラフィック）上で伝送を開始する。
【０１４７】
別の実施例では、実体が応答している各メンバー加入者局について共有チャネルを割当てることを決定すれば、アクセス網は共有マルチキャスト・サービス・トラフィック・チャネルに関する情報を含む個々のチャネル割当メッセージ（Individual Channel Assignment Message、ＩＣＡＭ）を応答している各メンバー加入者局に送信する。ＩＳ‐２０００規格に従う通信システムの文脈において、ＩＣＡＭは、例えば、拡張チャネル割当メッセージ（Extended Channel Assignment Message）を含む。
【０１４８】
アクセス網は通知を送信したとき個々の加入者局の同一性を必ずしも知らなかったが、加入者局から応答を受信したとき同一性が明らかにされたので、そのような個々の割当が可能である。
【０１４９】
共有マルチキャスト・サービス・トラフィック・チャネルは二点間呼出と同様に個々に割当てられるので、二点間トラフィック・チャネル割当について既知のあらゆる方法が使用できることは注目される。従って、アクセス網は関心のある加入者局の各々がページング・チャネルを監視しているときを知っているので、各加入者局についていつＩＣＡＭを送信するかの課題は存在しない。
【０１５０】
上述の実施例に従うメッセージ・フローの例は図１７に例示される。時間ｔ１で、セクタＳはマルチキャスト呼出が開始するための識別子ＧＲＯＵＰ_ＩＤｘを持つ群を含む加入者局ＭＳ_１及びＭＳ_２の同一性ＧＲＯＵＰ_ＩＤｘを受信する。代りに、セクタＳは群識別子ＧＲＯＵＰ_ＩＤｘを受信する。情報は通信システムの別の実体、例えば、基地局制御器、ＰＳＴＮ、情報源（示されない）、他の実体によって提供される。そして、セクタＳは加入者局ＭＳ_１及びＭＳ_２の同一性を、例えば、データベースを照会することによって決定する。そして、セクタＳは識別子ＧＲＯＵＰ_ＩＤｘ及び各加入者局ＭＳ_１及びＭＳ_２に関するチャネル割当情報を含む個々のＭＣＰを作成し、ＭＣＰをページ・メッセージ、例えば、一般的なページ・メッセージ（ＧＰＭ）に含める。
【０１５１】
そして、セクタＳはメンバー加入者局ＭＳ_１及びＭＳ_２によって監視されるページング・チャネル上のスロットを決定する。時間ｔ２で、メンバー加入者局ＭＳ_１によって監視されたスロットにおいて、セクタＳはＧＰＭ（ＭＣＰ：ＧＲＯＵＰ_ＩＤｘ）を伝送する。加入者局ＭＳ_１はＧＰＭ（ＭＣＰ：ＧＲＯＵＰ_ＩＤｘ）を受信し、応答を時間ｔ３で送信する。
【０１５２】
時間ｔ４で、メンバー加入者局ＭＳ_２によって監視されたスロットにおいて、セクタＳはＧＰＭ（ＭＣＰ：ＧＲＯＵＰ_ＩＤｘ）を伝送する。加入者局ＭＳ_２はＧＰＭ（ＭＣＰ：ＧＲＯＵＰ_ＩＤｘ）を受信し、応答を時間ｔ５で送信する。
【０１５３】
応答を受信すると、チャネル割当を受持つアクセス網の実体は共有チャネルを割当てることを決定する。セクタＳは個々のチャネル割当メッセージ、例えば、ＩＣＡＭを各加入者局ＭＳ_１及びＭＳ_２へ送信する方法を決定し、共有マルチキャスト・サービス・トラフィック・チャネルＩＣＡＭ（チャネル割当情報）に関する情報を含むＩＣＡＭを時間ｔ６、ｔ７で各々送信する。加入者局ＭＳ_１及びＭＳ_２はＩＣＡＭを処理し、そして適切な行動をとり、例えば、識別されたマルチキャスト呼出が時間ｔ６、ｔ７で伝送されつつある物理チャネルに合わせ、且つ監視を始める。時間ｔ８で、マルチキャスト・サービスの内容はトラフィック・チャネル（ＧＲＯＵＰ_ＩＤｘに関するトラフィック）上で伝送を開始する。
【０１５４】
別の実施例では、実体が専用チャネルを割当てることを決定すれば、アクセス網は専用マルチキャスト・サービス・トラフィック・チャネルに関する情報を含む共通チャネル割当メッセージ、マルチキャスト・チャネル割当メッセージ（Multicast Channel Assignment Message、ＭＣＡＭ）を送信する。このように、ＭＣＡＭは関心がある加入者局に共有マルチキャスト・サービス・トラフィック・チャネルを割当てる。
【０１５５】
上で説明したように、ＧＲＯＵＰ_ＩＤによって識別された群に属する加入者局はページング・チャネル上の同じスロットを必ずしも割当られるとは限らない。従って、マルチキャスト呼出開始情報を伝送する効率的な方法を可能にする方法が必要とされる。
【０１５６】
一実施例では、通知を受信すると、加入者局は非スロット化モードにおいてページング・チャネルを監視する必要がある、従って、ＭＣＡＭはあるページング・チャネル・スロットにおいて送信される。
【０１５７】
別の実施例では、ＭＣＡＭはマルチキャスト・アドレス指定された通知を送信するスロットを決定するために使用される同じ方法を使用してスロット上で送信される。
【０１５８】
別の実施例では、共通オーバヘッド・メッセージまたは共通ページ・メッセージは加入者局がＭＣＡＭを監視するために要求されるページング・チャネル・スロット番号を指示する。
【０１５９】
別の実施例では、ＭＣＡＭは加入者局によって監視される各々のスロット上で送信される。
【０１６０】
前述の実施例は別々に指導目的のみのために扱われたことが当業者によって理解されるであろう。通信システムはマルチキャスト・サービスに適した実施例を使用するであろう。実施例の選択は、例えば、通知において指定される。
【０１６１】
一旦、加入者局はメッセージを処理すると、関心のある加入者局はマルチキャスト・サービス・トラフィックを受信するために割当てられたチャネルの監視を開始する。
【０１６２】
上述の実施例に従うメッセージ・フローの例は図１８に例示される。時間ｔ１で、セクタＳはマルチキャスト呼出が開始するための識別子ＧＲＯＵＰ_ＩＤｘを持つ群を含む加入者局ＭＳ_１及びＭＳ_２の同一性ＧＲＯＵＰ_ＩＤｘを受信する。代りに、セクタＳは群識別子ＧＲＯＵＰ_ＩＤｘを受信する。情報は通信システムの別の実体、例えば、基地局制御器、ＰＳＴＮ、情報源（示されない）、他の実体によって提供される。そして、セクタＳは加入者局ＭＳ_１及びＭＳ_２の同一性を、例えば、データベースを照会することによって決定する。そして、セクタＳは識別子ＧＲＯＵＰ_ＩＤｘ及び各加入者局ＭＳ_１及びＭＳ_２に関するチャネル割当情報を含む個々のＭＣＰを作成し、ＭＣＰをページ・メッセージ、例えば、一般的なページ・メッセージ（ＧＰＭ）に含める。
【０１６３】
そして、セクタＳはメンバー加入者局ＭＳ_１及びＭＳ_２によって監視されるページング・チャネル上のスロットを決定する。時間ｔ２で、メンバー加入者局ＭＳ_１によって監視されたスロットにおいて、セクタＳはＧＰＭ（ＭＣＰ：ＧＲＯＵＰ_ＩＤｘ）を伝送する。加入者局ＭＳ_１はＧＰＭ（ＭＣＰ：ＧＲＯＵＰ_ＩＤｘ）を受信し、応答を時間ｔ３で送信する。
【０１６４】
時間ｔ４で、メンバー加入者局ＭＳ_２によって監視されたスロットにおいて、セクタＳはＧＰＭ（ＭＣＰ：ＧＲＯＵＰ_ＩＤｘ）を伝送する。加入者局ＭＳ_２はＧＰＭ（ＭＣＰ：ＧＲＯＵＰ_ＩＤｘ）を受信し、応答を時間ｔ５で送信する。
【０１６５】
応答を受信すると、チャネル割当を受持つアクセス網の実体は専用チャネルを割当てることを決定する。セクタＳは共通チャネル割当メッセージ、例えば、ＭＣＡＭを送信する方法を決定し、時間ｔ６で専用マルチキャスト・サービス・トラフィック・チャネルＭＣＡＭ（ＭＳ_１に関するチャネル割当情報、ＭＳ_２に関するチャネル割当情報）に関する情報を含むＭＣＡＭを送信する。加入者局ＭＳ_１及びＭＳ_２はＭＣＡＭを処理し、そして適切な行動をとり、例えば、識別されたマルチキャスト呼出が時間ｔ７、ｔ８で各々伝送されつつある物理チャネルのＭＳ_１に関するトラフィック、ＭＳ_２に関するトラフィックに各々合わせ、且つ監視を始める。
【０１６６】
別の実施例では、実体が専用チャネルを割当てることを決定すれば、アクセス網は共有マルチキャスト・サービス・トラフィック・チャネルに関する情報を含む個々のチャネル割当メッセージ（Individual Channel Assignment Message、ＩＣＡＭ）を関心のある各メンバー加入者局へ送信する。ＩＳ‐２０００規格に従う通信システムの文脈において、ＩＣＡＭは、例えば、拡張チャネル割当メッセージを含み、使用することができる。
【０１６７】
共有マルチキャスト・サービス・トラフィック・チャネルは二点間呼出と同様に個々に割当てられるので、二点間トラフィック・チャネル割当について既知のあらゆる方法が使用できることは注目される。従って、アクセス網は関心のある加入者局の各々がページング・チャネルを監視しているときを知っているので、各加入者局についていつＩＣＡＭを送信するかの課題は存在しない。
【０１６８】
上述の実施例に従うメッセージ・フローの例は図１９に例示される。時間ｔ１で、セクタＳはマルチキャスト呼出が開始するための識別子ＧＲＯＵＰ_ＩＤｘを持つ群を含む加入者局ＭＳ_１及びＭＳ_２の同一性ＧＲＯＵＰ_ＩＤｘを受信する。代りに、セクタＳは群識別子ＧＲＯＵＰ_ＩＤｘを受信する。情報は通信システムの別の実体、例えば、基地局制御器、ＰＳＴＮ、情報源（示されない）、他の実体によって提供される。そして、セクタＳは加入者局ＭＳ_１及びＭＳ_２の同一性を、例えば、データベースを照会することによって決定する。そして、セクタＳは識別子ＧＲＯＵＰ_ＩＤｘ及び各加入者局ＭＳ_１及びＭＳ_２に関するチャネル割当情報を含む個々のＭＣＰを作成し、ＭＣＰをページ・メッセージ、例えば、一般的なページ・メッセージ（ＧＰＭ）に含める。
【０１６９】
そして、セクタＳはメンバー加入者局ＭＳ_１及びＭＳ_２によって監視されるページング・チャネル上のスロットを決定する。時間ｔ２で、メンバー加入者局ＭＳ_１によって監視されたスロットにおいて、セクタＳはＧＰＭ（ＭＣＰ：ＧＲＯＵＰ_ＩＤｘ）を伝送する。加入者局ＭＳ_１はＧＰＭ（ＭＣＰ：ＧＲＯＵＰ_ＩＤｘ）を受信し、応答を時間ｔ３で送信する。
【０１７０】
時間ｔ４で、メンバー加入者局ＭＳ_２によって監視されたスロットにおいて、セクタＳはＧＰＭ（ＭＣＰ：ＧＲＯＵＰ_ＩＤｘ）を伝送する。加入者局ＭＳ_２はＧＰＭ（ＭＣＰ：ＧＲＯＵＰ_ＩＤｘ）を受信し、応答を時間ｔ５で送信する。
【０１７１】
応答を受信すると、チャネル割当を受持つアクセス網の実体は専用チャネルを割当てることを決定する。セクタＳは加入者局ＭＳ_１によって監視されたページング・スロットを時間ｔ６まで待ち、個々のＩＣＡＭ（ＭＳ_１に関するチャネル割当情報）を加入者局ＭＳ_１へ伝達する。加入者局ＭＳ_１はＩＣＡＭを処理し、そして適切な行動をとり、例えば、識別されたマルチキャスト呼出が時間ｔ７で伝送されつつある物理チャネル（ＭＳ_１に関するトラフィック）に合わせ、且つ監視を始める。
【０１７２】
同様に、セクタＳは加入者局ＭＳ_２によって監視されたページング・スロットを時間ｔ８まで待ち、個々のＩＣＡＭ（ＭＳ_２に関するチャネル割当情報）を加入者局ＭＳ_２へ伝達する。加入者局ＭＳ_２はＩＣＡＭを処理し、そして適切な行動をとり、例えば、識別されたマルチキャスト呼出が時間ｔ９で伝送されつつある物理チャネル（ＭＳ_２に関するトラフィック）に合わせ、且つ監視を始める。
【０１７３】
前述の実施例は別々に指導目的のみのために扱われたことが当業者によって理解されるであろう。通信システムはマルチキャスト・サービスに適したある実施例を使用するであろう。例えば、そのメンバーが異なるセクタの受信区域にあるマルチキャスト群に伝送されるマルチキャスト呼出について、各セクタは異なる実施例を使用することもある。このように、１つのセクタはマルチキャスト通知を使用し、応答を要求し、且つ専用チャネルを割当てる。別のセクタは個々の通知を使用し、応答を要求し、且つ共有チャネルを割当てる。さらに、別のセクタはマルチキャスト通知を使用し、応答を要求し、且ついくつかの加入者局に共有チャネルを割当て、残りの加入者局には専用チャネルに割当てる。
【０１７４】
フローチャート図は理解をするために系列的順序で描かれているが、或るステップは現実の実施においては並行して実行できることを当業者は認識するであろう。
【０１７５】
情報及び信号は様々な異なる技術及び技法のいずれかを使用して表されることを当業者は理解するであろう。例えば、上の記述の至る所で引用されるデータ、指示、命令、情報、信号、ビット、シンボル、及びチップは電圧、電流、電磁波、磁場または粒子、光学場または粒子、またはそのあらゆる組合せによって表される。
【０１７６】
ここで開示された実施例に関連して記述された様々な例示の論理的ブロック、モジュール、回路、及び、アルゴリズム・ステップは電子ハードウェア、コンピュータ・ソフトウェア、または双方の組合せとして実施できることを当業者はさらに理解するであろう。このハードウェア及びソフトウェアの互換性を明瞭に示すために、様々な例示部品、ブロック、モジュール、回路、及びステップがそれらの機能性に関して一般に上で記述されてきた。そのような機能性がハードウェアまたはソフトウェアとして実施されるかどうかは全体のシステムに課せられた特定の応用及び設計の制約に依存する。熟練技術者は特定の各応用について種々の方法で記述された機能性を実施できるであろうが、そのような実施の決定は本発明の範囲から逸脱するものと解釈されるべきではない。
【０１７７】
ここに開示された実施例に関連して記述された様々な例示の論理的ブロック、モジュール、及び回路は一般用途プロセッサ、ディジタル信号プロセッサ（ＤＳＰ）、特定用途向け集積回路（ＡＳＩＣ）、フィールド・プログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これの代りでは、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した一以上のマイクロプロセッサ、またはそのようなあらゆる他の構成として実施される。
【０１７８】
ここに開示された実施例に関連して記述された方法またはアルゴリズムの操作は直接ハードウェアにおいて、プロセッサによって実行されるソフトウェア・モジュールにおいて、或いは二つの組合せにおいて組込まれる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、交換可能ディスク、ＣＤ−ＲＯＭ、または当技術分野において既知の他の型式の記憶媒体に駐在する。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに駐在してもよい。ＡＳＩＣはユーザー端末に駐在してもよい。それに代るものでは、プロセッサ及び記憶媒体はユーザー端末中に個別部品として駐在してもよい。
【０１７９】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。このように、本発明はここに示された実施例に限定されることを意図していないが、ここに開示された原理及び新規な特徴と両立する最も広い範囲を与えられるべきである。
【０１８０】
この特許文書の開示の一部は著作権保護の対象となる材料を含む。特許文書は特許・商標局の特許ファイルまたは記録で出版されるので、著作権所有者は特許文書または特許明細書のいずれのファクシミリ再生に対して反対をしないが、他の場合は全ての著作権権利を保留する。
【図面の簡単な説明】
【０１８１】
【図１】本発明の実施例に従ってマルチキャスト・サービスを行うことが可能な通信システムの概念ブロック図を例示する。
【図２】通知の１つの実施例に従ってメッセージ・フローを例示する。
【図３】ページ・メッセージの概念図を例示する。
【図４】通知の別の実施例に従ってメッセージ・フローを例示する。
【図５】一実施例における速い順方向ページング・チャネル上で伝達される信号と順方向共通制御チャネルまたは順方向ページング・チャネル上で伝達される信号との関係を例示する。
【図６】通知の別の実施例に従ってメッセージ・フローを例示する。
【図７】別の実施例に従って速い順方向ページング・チャネル上で伝達される信号と順方向共通制御チャネルまたは順方向ページング・チャネル上で伝達される信号との関係を例示する。
【図８】通知の別の実施例に従ってメッセージ・フローを例示する。
【図９】応答／チャネル割当の別の実施例に従ってメッセージ・フローを例示する。
【図１０】応答／チャネル割当の別の実施例に従ってメッセージ・フローを例示する。
【図１１】応答／チャネル割当の別の実施例に従ってメッセージ・フローを例示する。
【図１２】応答／チャネル割当の別の実施例に従ってメッセージ・フローを例示する。
【図１３】応答／チャネル割当の別の実施例に従ってメッセージ・フローを例示する。
【図１４】応答／チャネル割当の別の実施例に従ってメッセージ・フローを例示する。
【図１５】応答／チャネル割当の別の実施例に従ってメッセージ・フローを例示する。
【図１６】応答／チャネル割当の別の実施例に従ってメッセージ・フローを例示する。
【図１７】応答／チャネル割当の別の実施例に従ってメッセージ・フローを例示する。
【図１８】応答／チャネル割当の別の実施例に従ってメッセージ・フローを例示する。
【図１９】応答／チャネル割当の別の実施例に従ってメッセージ・フローを例示する。
【図１】
2005533411.tif 000002
【図２】
2005533411.tif 000003
【図３】
2005533411.tif 000004
【図４】
2005533411.tif 000005
【図５】
2005533411.tif 000006
【図６】
2005533411.tif 000007
【図７】
2005533411.tif 000008
【図８】
2005533411.tif 000009
【図９】
2005533411.tif 000010
【図１０】
2005533411.tif 000011
【図１１】
2005533411.tif 000012
【図１２】
2005533411.tif 000013
【図１３】
2005533411.tif 000014
【図１４】
2005533411.tif 000015
【図１５】
2005533411.tif 000016
【図１６】
2005533411.tif 000017
【図１７】
2005533411.tif 000018
【図１８】
2005533411.tif 000019
【図１９】
2005533411.tif 000020